(57)【特許請求の範囲】
【請求項１】
少なくとも属性の異なる第１〜第Ｎの情報をメニュー画面上に表示する表示手段と、
前記第１〜第Ｎの情報にそれぞれ対応する第１〜第Ｎのアイコン情報と、前記第１〜第Ｎのアイコン情報にそれぞれ対応する第１〜第Ｎの背景画面用キャラクタデータであって、第１〜第Ｎの背景表示エリアをそれぞれ表示するための第１〜第Ｎの背景画面用キャラクタデータと、が記憶される記憶手段と、
前記第１〜第Ｎの背景画面用キャラクタデータの各々に基づいて、前記第１〜第Ｎの背景表示エリアのうちの１つの対応する背景表示エリアに、前記第１〜第Ｎのアイコン情報のうちの１つの対応するアイコン情報を表示制御する制御手段と、
前記メニュー画面上にて、操作入力を入力する操作手段と、
を有し、
前記制御手段は、
前記操作手段の操作入力に基づいて、第１のモードと第２のモードとのいずれかのモードを切換制御するモード制御部と、
前記第１のモードで、前記第１〜第Ｎの背景表示エリアの各々を表示し、前記第２のモードで、前記第１〜第Ｎの背景表示エリアのうちのいずれか一つの背景表示エリアのみ拡大表示する拡大縮小制御部と、
を有することを特徴とする表示装置。
【請求項２】
少なくとも通信情報と、スケジュール情報と、を表示画面上に表示する表示手段と、
前記通信情報に対応する第１のアイコン情報と、前記スケジュール情報に対応する第２のアイコン情報と、前記通信情報および前記スケジュール情報を検索するための第３のアイコン情報と、前記第１のアイコン情報に対応し且つ第１の背景表示エリアを表示するための第１の背景画面用キャラクタデータと、前記第２のアイコン情報に対応し且つ第２の背景表示エリアを表示するための第２の背景画面用キャラクタデータと、前記第３のアイコン情報に対応し且つ第３の背景表示エリアを表示するための第３の背景画面用キャラクタデータと、が記憶される記憶手段と、
前記第１〜第３の背景画面用キャラクタデータの各々に基づいて、前記第１〜第３の背景表示エリアのうちの１つの対応する背景表示エリアに、前記第１〜第３のアイコン情報のうちの１つの対応するアイコン情報を表示制御する制御手段と、
前記表示画面上にて、操作入力を入力する操作手段と、
を有し、
前記制御手段は、
前記操作手段の操作入力に基づいて、第１のモードと第２のモードとのいずれかのモードを切換制御するモード制御部と、
前記第１のモードで、前記第１〜第３の背景表示エリアの各々を表示し、前記第２のモードで、前記第１〜第３の背景表示エリアのうちのいずれか一つの背景表示エリアのみ拡大表示する拡大縮小制御部と、
有することを特徴とする表示装置。
【請求項３】
請求項２において、
前記記憶手段は、操作入出力される入出力情報に対応する第４のアイコン情報と、前記第４のアイコン情報に対応し且つ第４の背景表示エリアを表示するための第４の背景画面用キャラクタデータと、をさらに有し、
前記制御手段は、前記第１〜第４の背景画面用キャラクタデータの各々に基づいて、前記第１〜第４の背景表示エリアのうちの１つの対応する背景表示エリアに、前記第１〜第４のアイコン情報のうちの１つの対応するアイコン情報を表示制御することを特徴とする表示装置。
【請求項４】
少なくとも通信情報と、スケジュール情報と、を表示画面上に表示する表示手段と、
前記通信情報に対応する第１のアイコン情報と、前記スケジュール情報に対応する第２のアイコン情報と、前記通信情報および前記スケジュール情報を検索するための第３のアイコン情報と、前記第１のアイコン情報に対応し且つ第１の背景表示エリアを表示するための第１の背景画面用キャラクタデータと、前記第２のアイコン情報に対応し且つ第２の背景表示エリアを表示するための第２の背景画面用キャラクタデータと、前記第３のアイコン情報に対応し且つ第３の背景表示エリアを表示するための第３の背景画面用キャラクタデータと、が記憶される記憶手段と、
前記第１〜第３の背景画面用キャラクタデータの各々に基づいて、前記第１〜第３の背景表示エリアのうちの１つの対応する背景表示エリアに、前記第１〜第３のアイコン情報のうちの１つの対応するアイコン情報を表示制御する制御手段と、
を有し、
前記第１の背景表示エリアは、前記表示画面の上段に形成されると共に、前記第１の背景画面用キャラクタデータを空のメタファとすることで、空が背景画面として表示され、
前記第２の背景表示エリアは、前記表示画面の中段に形成され、前記第２の背景画面用キャラクタデータを地表のメタファとすることで、地表が背景画面として表示され、
前記第３の背景表示エリアは、前記表示画面の下段に形成され、前記第３の背景画面用キャラクタデータを地下のメタファとすることで、地下が背景画面として表示されることを特徴とする表示装置。
【請求項５】
請求項２において、
前記通信情報は、複数であり、前記第１のアイコン情報は、複数であり、
前記複数の通信情報の各々は、送受信される電子メール情報と、この電子メール情報の着信時間に関する着信時間情報と、を有し、
前記制御手段は、前記複数の第１のアイコン情報の各々を前記複数の着信時間情報のうちの１つの対応する着信時間情報に基づいて、前記第１の背景表示エリア上に着信順に表示処理することを特徴とする表示装置。
【請求項６】
請求項２において、
前記通信情報は、複数であり、前記第１のアイコン情報は、複数であり、
前記複数の通信情報の各々は、電子メール情報を有し、
前記記憶手段は、前記複数の電子メール情報が所定の数を超えた場合に、単一のキャラクタとして生成表示される第１の統合アイコン情報を有し、
前記制御手段は、前記複数の電子メール情報が前記所定の数を超えた場合に、前記第１の背景表示エリア上に前記複数の第１のアイコン情報の代わりに前記第１の統合アイコン情報を表示することを特徴とする表示装置。
【請求項７】
請求項６において、
前記複数の通信情報の各々は、前記複数の電子メール情報のうちの１つの対応する電子メールの内容に応じて機能を分類識別するための識別情報を有し、
前記第１の統合アイコン情報は、前記複数の電子メール情報の内容に応じて機能別に分類された複数の機能別統合アイコン情報を有し、
前記制御手段は、前記複数の識別情報に基づいて、前記第１の統合アイコンとして、前記複数の機能別アイコン情報を、前記第１の背景表示エリア上に表示することを特徴とする表示装置。
【請求項８】
請求項２において、
音声情報を入力する音声入力手段と、
前記操作手段の操作入力に基づいて、前記音声情報の入力を制御する音声入力制御手段と、
をさらに有することを特徴とする表示装置。
【請求項９】
請求項２において、
音声情報を出力する音声出力手段と、
前記操作手段の操作入力に基づいて、前記音声情報の出力を制御する音声出力制御手段と、
をさらに有することを特徴とする表示装置。
【請求項１０】
請求項９において、
前記音声情報は、送受信される音声通信情報と、音声通信情報のサイズに関する音声サイズ情報と、を有し、
前記記憶手段は、前記音声通信情報に対応した異なる形状の複数の第４のアイコン情報を有し、
前記制御手段は、前記音声サイズ情報に基づいて、複数の異なる形状の前記第４のアイコン情報を選択的に表示することを特徴とする表示装置。
【請求項１１】
請求項２において、
バッテリーレベルを検出するバッテリー残量検出手段を有し、
前記制御手段は、前記バッテリー残量検出手段の検出結果に基づいて、前記表示画面上に前記バッテリーレベルを表示制御することを特徴とする表示装置。
【請求項１２】
請求項２において、
前記制御手段は、前記第２のモード使用時に、拡大表示される背景表示エリアをハイコントラスト表示とし、他の背景表示エリアをローコントラストとするように制御する背景画面制御部を有することを特徴とする表示装置。
【請求項１３】
請求項２において、
前記記憶手段は、アルファベットを基準として検索するための検索用選択文字情報を配列表示するデータベース表示情報と、アルファベットの少なくとも頭文字を検索語として検索するための検索プログラムと、を有し、
前記制御手段は、前記操作手段の操作入力により前記検索用選択文字情報を用いて検索語を指定し、前記検索プログラムにより前記通信情報および前記スケジュール情報の検索を行い、検索結果情報を出力するように下層表示制御することを特徴とする表示装置。
【請求項１４】
コンピュータを、
少なくとも属性の異なる第１〜第Ｎの情報をメニュー画面上に表示する表示手段、
前記第１〜第Ｎの情報にそれぞれ対応する第１〜第Ｎのアイコン情報と、前記第１〜第Ｎのアイコン情報にそれぞれ対応する第１〜第Ｎの背景画面用キャラクタデータであって、第１〜第Ｎの背景表示エリアをそれぞれ表示するための第１〜第Ｎの背景画面用キャラクタデータと、が記憶される記憶手段、
前記第１〜第Ｎの背景画面用キャラクタデータの各々に基づいて、前記第１〜第Ｎの背景表示エリアのうちの１つの対応する背景表示エリアに、前記第１〜第Ｎのアイコン情報のうちの１つの対応するアイコン情報を表示制御する制御手段、および
前記メニュー画面上にて、操作入力を入力する操作手段として機能させるためのプログラムを記録したコンピュータ読み取り可能な記録媒体であって、
前記制御手段は、
前記操作手段の操作入力に基づいて、第１のモードと第２のモードとのいずれかのモードを切換制御するモード制御部と、
前記第１のモードで、前記第１〜第Ｎの背景表示エリアの各々を表示し、前記第２のモードで、前記第１〜第Ｎの背景表示エリアのうちのいずれか一つの背景表示エリアのみ拡大表示する拡大縮小制御部と、
を有することを特徴とする記録媒体。
【請求項１５】
コンピュータを、
少なくとも通信情報と、スケジュール情報と、を表示画面上に表示する表示手段、
前記通信情報に対応する第１のアイコン情報と、前記スケジュール情報に対応する第２のアイコン情報と、前記通信情報および前記スケジュール情報を検索するための第３のアイコン情報と、前記第１のアイコン情報に対応し且つ第１の背景表示エリアを表示するための第１の背景画面用キャラクタデータと、前記第２のアイコン情報に対応し且つ第２の背景表示エリアを表示するための第２の背景画面用キャラクタデータと、前記第３のアイコン情報に対応し且つ第３の背景表示エリアを表示するための第３の背景画面用キャラクタデータと、が記憶される記憶手段、
前記第１〜第３の背景画面用キャラクタデータの各々に基づいて、前記第１〜第３の背景表示エリアのうちの１つの対応する背景表示エリアに、前記第１〜第３のアイコン情報のうちの１つの対応するアイコン情報を表示制御する制御手段、
前記表示画面上にて、操作入力を入力する操作手段として機能させるためのプログラムを記録したコンピュータ読み取り可能な記録媒体であって、
前記制御手段は、
前記操作手段の操作入力に基づいて、第１のモードと第２のモードとのいずれかのモードを切換制御するモード制御部と、
前記第１のモードで、前記第１〜第３の背景表示エリアの各々を表示し、前記第２のモードで、前記第１〜第３の背景表示エリアのうちのいずれか一つの背景表示エリアのみ拡大表示する拡大縮小制御部と、
を有することを特徴とする記録媒体。
【請求項１６】
請求項１５において、
前記記憶手段は、アルファベットを基準として検索するための検索用選択文字情報を配列表示するデータベース表示情報と、アルファベットの少なくとも頭文字を検索語として検索するための検索プログラムと、を有し、
前記制御手段は、前記操作手段の操作入力により前記検索用選択文字情報を用いて検索語を指定し、前記検索プログラムにより前記通信情報および前記スケジュール情報の検索を行い、検索結果情報を出力するように下層表示制御することを特徴とする記録媒体。
【請求項１７】
コンピュータを、
少なくとも通信情報と、スケジュール情報と、を表示画面上に表示する表示手段、
前記通信情報に対応する第１のアイコン情報と、前記スケジュール情報に対応する第２のアイコン情報と、前記通信情報および前記スケジュール情報を検索するための第３のアイコン情報と、前記第１のアイコン情報に対応し且つ第１の背景表示エリアを表示するための第１の背景画面用キャラクタデータと、前記第２のアイコン情報に対応し且つ第２の背景表示エリアを表示するための第２の背景画面用キャラクタデータと、前記第３のアイコン情報に対応し且つ第３の背景表示エリアを表示するための第３の背景画面用キャラクタデータと、が記憶される記憶手段、および
前記第１〜第３の背景画面用キャラクタデータの各々に基づいて、前記第１〜第３の背景表示エリアのうちの１つの対応する背景表示エリアに、前記第１〜第３のアイコン情報のうちの１つの対応するアイコン情報を表示制御する制御手段として機能させるためのプログラムを記録したコンピュータ読み取り可能な記録媒体であって、
前記第１の背景表示エリアは、前記表示画面の上段に形成されると共に、前記第１の背景画面用キャラクタデータを空のメタファとすることで、空が背景画面として表示され、
前記第２の背景表示エリアは、前記表示画面の中段に形成され、前記第２の背景画面用キャラクタデータを地表のメタファとすることで、地表が背景画面として表示され、
前記第３の背景表示エリアは、前記表示画面の下段に形成され、前記第３の背景画面用キャラクタデータを地下のメタファとすることで、地下が背景画面として表示されることを特徴とする記録媒体。
【請求項１８】
請求項１〜請求項１３のいずれかに記載の表示装置を含む携帯型情報処理装置。
【請求項１９】
請求項１８において、
前記表示装置に配設されユーザーの腕に装着される腕装着部をさらに有することを特徴とする携帯型情報処理装置。
【請求項２０】
請求項１４〜請求項１７のいずれかに記載の記録媒体を含む電子機器。
【発明の詳細な説明】
【０００１】
【発明の属する技術分野】
本発明は、表示装置及び携帯型情報処理装置並びに情報記録媒体及び電子機器に関する。
【０００２】
【背景技術及び発明が解決しようとする課題】
近年、携帯機器等の分野において、持ち運びの容易な小型情報処理装置としていわゆるＰＤＡ（Personal Digital Asistance）と称される表示装置等が知られている。このようなＰＤＡ、パーソナルコンピュータ（ＰＣ）、電子手帳やワードプロセッサ等の情報処理装置を、ネットワークに用いることが試みられている。即ち、携帯機器の利用形態として、パーソナルコンピュータ（ＰＣ）等の情報処理装置から携帯機器に各種のデータを予め転送しておき、利用先で携帯機器のデータの内容を単独で更新する等の作業が行われることが多い。
【０００３】
しかしながら、携帯機器では、表示画面が通常のＰＣの場合よりも小さいために、同一比率で画像を圧縮、縮小したとしても、アイコン表示が小さくなり、何を示しているのか、その機能が解りづらいという問題点があった。また、フォント表示を行おうとすると、文字が見づらいという問題点があった。このように、表示部の解像度をそのまま変えて、キャラクタやフォントの大きさを小さくすると、表示画像がユーザーに理解できなくなる。
【０００４】
仮に、ＰＣと同じ情報量を表示しようとすると、アイコンサイズ及びフォントサイズを小さく表示しなくてはならなくなり、画面サイズの小さな携帯型コンピュータや電子手帳等においては特に重要な問題点となっている。例えば、日本語の表示は２４×２４ドット以上のフォントが見やすいが、表示画面の制約から、このフォントサイズを確保できず、漢字などは読めなくなる。
【０００５】
また、例えば特開平1-173139号、特開平4-168482号等の従来装置では、メタファ環境上のオブジェクトであるアイコン等に詳細な意味を示すための説明表示を付加してユーザーの記憶負荷を低減している。
【０００６】
例えば図５７Ａに示すように、一般にメニュー画面２０００においては、各種アプリケーションプログラムを起動させて、下位の階層を閲覧表示させるための複数の各種アイコン情報２００１は、ｍ×ｎ列等に配置されることが多い。そして、アイコン情報２００１には、当該アイコン情報２００１の機能を説明するための、文字２００２等を同時に表示し、ユーザーにとってアイコン情報の機能の意味の理解を助けている。
【０００７】
また、図５７Ｂに示すように、メニュー画面２０１０において、複数の階層により形成されたアイコン情報２０１４及びその機能説明又はタイトルが表示された設定用タブ２０１２を用いることで、アイコン情報と同様の機能を持たすことも行われている。
【０００８】
しかしながら、上述のいずれのメニュー画面の表示方法であっても、アイコンにキーワードや記号といった情報を付加するため、付加された記号やキーワードが理解できるユーザーに対しては有効であっても、予備知識を持たないユーザは、新たなキーワードや記号を記憶する負荷がかかり、操作効率が低下する。
【０００９】
しかも、ＰＤＡでは、表示部のサイズが一般的に小さく、文字等が見えにくい為、選択することで起動する機能が何であるかが分かりづらく、また、個々のアイコンが小さく選択しにくいといった問題があった。
【００１０】
また、このような装置では、予備知識を持たないユーザーに付加情報を理解するための新たなキーワードや記号を記憶する負荷がかかったり、付加された説明を読むこと自体が煩雑で、操作効率が低下するという問題点がある。
【００１１】
さらに、例えば特開平5-28157 号等のようなアイコンを表示することが考えられるが、このような通常のアイコンの表示態様では、ユーザーが所望の機能を、表示されている複数のアイコンの中から選択するためには、個々のアイコンの図柄及び機能名称のみによって、所望の機能がどこであるかを判断するしかなく、また、各アイコンに対応する機能が何であるか、所望のアイコンがどこに配置されているか等を覚えている熟練者にとっては、多くのアイコンをマトリクス状に表示しているためにすばやく所望のアイコンを選択できたが、初心者にとっては各アイコンに対応している機能自体を理解するまでに時間がかかり、また所望の機能が対応しているアイコンは画面上のどこに配置されているのかを覚えにくく、選択を誤り易いといった問題点があった。
【００１２】
さらに、ＰＣ上で稼動するデータベースソフトウエアでは、データに対して、キーワードを使って検索し、この検索結果とブラウジング（操作者が画像等を眺めて所望のデータを探すこと）とを組み合わせて所望のデータをピックアップする。
【００１３】
ここで、検索のためのメニュー画面が複数のカテゴリーに分類されている場合は、複雑な階層構造を形成している。このため、最上層にて検索する場合には、階層構造の下層を指定した上で、検索キーワードを指定して検索する必要があった。また、キーワードを用いないタイプの場合にも、この種のデータベースは、情報を整理分類するためのカテゴリーが複雑であるほど、複雑な階層構造をとる必要があり、検索に手間がかかる。
【００１４】
さらに、従来のソフトでは、所望のキーワードでデータベースを検索した場合、データを一つずつ選択して詳細情報を探すしかない。即ち、従来のデータベースソフトでは、ある検索キーで検索された結果は、単に登録順といった格好で表示されるので、利用者は、検索結果に対してさらに検索をかけることになる。
【００１５】
本発明は、上記した技術の課題を解決するためになされたものであり、その目的とするところは、メニュー画面においてアイコン情報を操作するに際して、各アイコンに対応して結びつけられている機能を理解し易く、フォント文字に頼ること無く複数種類のアイコン情報との関係を把握して容易にアイコン情報を選択することのできる表示装置及び携帯型情報処理装置並びに情報記録媒体及び電子機器を提供することにある。
【００１６】
また、本発明の他の目的は、メニュー画面においてアイコン情報を操作するに際して、各アイコンに対応して結びつけられている機能を理解し易く、フォント文字に頼ること無く複数種類のアイコン情報との関係を把握し、階層構造の複雑性に起因した操作の手間を低減して操作を効率よく行うことのできる表示装置及び携帯型情報処理装置並びに情報記録媒体及び電子機器を提供することにある。
【００１７】
【課題を解決するための手段】
請求項１に記載の発明に係る表示装置は、少なくとも属性の異なる第１〜第Ｎの情報を含む複数種類の情報をメニュー画面上に表示する表示手段と、前記第１〜第Ｎの情報に対応するアイコン情報を各々表示する第１〜第Ｎの表示エリアを表示するための第１〜第Ｎの背景画面用キャラクタデータと、前記第１〜第Ｎの情報に対応する第１〜第Ｎの各アイコン情報と、が記憶される記憶手段と、前記第１〜第Ｎの背景画面用キャラクタデータに基づいて、前記第１〜第Ｎの各背景表示エリアを前記メニュー画面上にエリア毎に生成し、各エリア毎に前記アイコン情報を表示制御する制御手段と、を有することを特徴とする。
【００１８】
請求項１に記載の発明によれば、複数種類の情報に対応したアイコン情報は、第１〜第Ｎの表示エリア（背景画面）上に属性に応じて分類されて表示される。このため、ユーザーは、第１〜第Ｎの表示エリアの区分を見るだけで、当該エリア中のアイコン情報の機能（アプリケーション）を視覚的に認識できることとなる。従って、従来のように単にアイコン情報が羅列されたり、アイコン情報と文字情報とを組み合わせて表示されていたメニュー画面に比して、ユーザーの操作性が向上する。特に、表示画面が小さい場合には、アイコン情報を識別するための文字情報を表示する必要がないので、有効である。
【００１９】
請求項２に記載の発明に係る表示装置は、少なくとも通信情報と、スケジュール情報と、を含む属性の異なる複数種類の情報を表示画面上に表示する表示手段と、前記通信情報に対応するアイコン情報を表示する第１の表示エリア、前記スケジュール情報に対応する前記アイコン情報を表示する第２の表示エリア、前記第１、第２の各表示エリアにて享受される前記複数種類の情報を検索するためのアイコン情報を配列表示する第３の表示エリア、を各々表示するための第１〜第３の背景画面用キャラクタデータと、各前記アイコン情報と、が記憶される記憶手段と、前記第１〜第３の背景画面用キャラクタデータに基づいて、前記第１〜第３の表示エリアを前記表示画面上に各エリア毎に生成し、各エリア毎に前記アイコン情報を表示制御する制御手段と、を有することを特徴とする。
【００２０】
請求項２に記載の発明によれば、複数種類の情報に対応したアイコン情報は、第１〜第３の表示エリア（背景画面）上に属性（通信、スケジュール、データベース検索）に応じて分類されて表示される。このため、ユーザーは、第１〜第３の表示エリアの区分、背景画面を見るだけで、当該エリア中のアイコン情報の機能（アプリケーション）を視覚的に認識できることとなる。従って、従来のように単にアイコン情報が羅列されたり、アイコン情報と文字情報とを組み合わせて表示されていたメニュー画面に比して、ユーザーの操作性が向上する。特に、表示画面が小さい場合には、アイコン情報を識別するための文字情報を表示する必要がないので、有効である。
【００２１】
請求項３に記載の発明に係る表示装置は、請求項２において、前記表示画面上にて、前記複数種類の情報を操作入力する操作手段をさらに有し、前記制御手段は、前記操作手段の操作入力に基づいて、第１〜第３の各背景表示エリアが表示される第１のモードと、第１〜第３の各背景表示エリアのうちいずれか一つの背景表示エリアのみ拡大表示される第２のモードと、のいずれかのモードを切換制御するモード制御部を有するを特徴とする。
【００２２】
請求項３に記載の発明によれば、第２のモードにすることにより、第１〜第３の背景表示エリアのうち、いずれかの使用領域の一つが拡大することで、画面の位置関係によりどのエリアを使用しているのかがわかる。
【００２３】
請求項４に記載の発明に係る表示装置は、請求項３において、前記記憶手段は、操作入出力される入出力情報に対応するアイコン情報を表示する第４の表示エリアを表示するための第４の背景画面用キャラクタデータをさらに有し、前記制御手段は、前記第１〜第４の背景画面用キャラクタデータに基づいて、前記第１〜第４の各背景表示エリアを前記表示画面上に各エリア毎に生成し、各エリア毎に前記アイコン情報を表示制御することを特徴とする。
【００２４】
請求項４に記載の発明によれば、通信情報を表示する第１の背景表示エリア、スケジュールを表示する第２の背景表示エリア、データベース検索のための第３の背景表示エリア、に加えて、操作入出力のための第４の背景表示エリアを設けているので、ユーザーにとって、より利便性が向上する。
【００２５】
請求項５に記載の発明に係る表示装置は、請求項３において、前記制御手段は、前記操作手段の前記アイコン情報への操作入力に基づいて、前記メニュー画面と異なる画面に、前記複数種類の情報のうち対応する属性の情報を前記表示画面上に合成表示するように制御することを特徴とする。
【００２６】
請求項５に記載の発明によれば、操作入力によって、アイコン情報に対応する複数種類の情報を閲覧できる。
【００２７】
請求項６に記載の発明に係る表示装置は、請求項３において、時間を計時する計時手段をさらに有し、前記制御手段は、前記計時手段の時間情報に基づいて、前記アイコン情報を時間順に表示することを特徴とする。
【００２８】
請求項６に記載の発明によれば、アイコン情報が時間順に表示されるので、ユーザーは、視覚的に複数種類の情報の新旧を把握することができる。
【００２９】
請求項７に記載の発明に係る表示装置は、請求項２において、前記第１の背景表示エリアは、前記表示画面の上段に形成されると共に、前記第１の背景画面用キャラクタデータを空のメタファとすることで、空が背景画面として表示され、前記第２の背景表示エリアは、前記表示画面の中段に形成され、前記第２の背景画面用キャラクタデータを地表のメタファとすることで、地表が背景画面として表示され、前記第３の背景表示エリアは、前記表示画面の下段に形成され、前記第３の背景画面用キャラクタデータを地下のメタファとすることで、地表が背景画面として表示されることを特徴とする。
【００３０】
請求項７に記載の発明によれば、第１、第２、第３の各背景表示エリアを上段、中段、下段に各々表示し、これらの各背景を空、地上、地下のメタファにて各々形成しているので、各々の関連する情報をユーザーが一目で視覚的に認識できる。即ち、「空は、天候が変化する」という観点から、絶えず変化する情報である通信情報を割り当て、「地下は物が蓄えられている」という観点から、データベースとして検索機能を有する情報を割り当て、「地上は、新しいものを植え付ける」という観点から、スケジュール情報を割り当てる。このようにして、情報をエリア毎に機能分類しているので、背景画面により情報の属性を識別でき、特に、表示画面が小さく文字情報が見にくいメニュー画面においては、効果的に使用できる。
【００３１】
請求項８に記載の発明に係る表示装置は、請求項６において、前記通信情報は、送受信される電子メール情報と、この電子メール情報の着信時間に関する着信時間情報と、を有し、前記制御手段は、前記着信時間情報に基づいて、前記アイコン情報を前記第１の背景表示エリア上に着信順に表示処理することを特徴とする。
【００３２】
請求項８に記載の発明によれば、電子メール情報が着信順に表示されるので、ユーザーが意識しなくても、電子メール情報の各ファイルを時系列で視覚的に視認できる。
【００３３】
請求項９に記載の発明に係る表示装置は、請求項６において、前記アイコン情報は、前記電子メール情報が所定の数を超えた場合に、単一のキャラクタとして生成表示される第３のアイコン情報を有し、前記制御手段は、前記電子メール情報が前記所定の数を超えた場合に、前記第１の背景表示エリア上に前記第３のアイコン情報を表示することを特徴とする。
【００３４】
請求項９に記載の発明によれば、電子メール情報の数が増えると、表示手段に表示されるアイコン情報の数もそれに応じて増大する。ここで、電子メール情報の数がある所定の数例えば３個を超えると、電子メール情報の数が例えば４個、５個となっても、アイコン情報としては、第３のアイコン情報を共通して常に表示する。このようにすることで、表示手段の表示スペースを有効に利用できる。また、電子メール情報の数に応じた数の各アイコン情報を容易する必要もなく、記憶手段の使用容量も低減できる。
【００３５】
請求項１０に記載の発明に係る表示装置は、請求項９において、前記通信情報は、前記電子メール情報の内容に応じて各機能を分類識別するための識別情報を有し、前記第３のアイコン情報は、前記電子メール情報の内容に応じて機能別に分類された複数の各機能別アイコン情報を有し、前記制御手段は、前記識別情報に基づいて、前記電子メール情報の内容に応じた機能別アイコン情報を、前記第１の背景表示エリア上に表示することを特徴とする。
【００３６】
請求項１０に記載の発明によれば、複数の電子メール情報を、用途別に分類してアイコン情報として表示できる。
【００３７】
請求項１１に記載の発明に係る表示装置は、請求項４において、前記制御手段は、前記操作手段の操作入力に基づいて、前記アイコン情報を前記第１、第２、第４のいずれかの背景表示エリア上に合成表示できることを特徴とする。
【００３８】
請求項１１に記載の発明によれば、ユーザーは、アイコン情報のうち所望のアイコン情報を一の背景エリアから他の背景エリアへと、操作入力により移動可能なので、より利便性が向上する。
【００３９】
請求項１２に記載の発明に係る表示装置は、請求項４において、前記記憶手段は、前記入出力情報が表示される局所領域の背景画面を形成する画面データと、前記入出力情報を手書き文字にて表示するためのフォントデータと、を有し、前記制御手段は、前記操作手段の操作入力に基づいて、前記アイコン情報の下層に、前記画面データ上に前記フォントデータを合成表示するように制御することを特徴とする。
【００４０】
請求項１２に記載の発明によれば、入出力情報例えばメモ情報は、手書き文字に似たフォントデータを用いているので、メモが書かれている状況を表示画面上にてリアルに表現できる。
【００４１】
請求項１３に記載の発明に係る表示装置は、請求項１２において、前記入出力情報を形成するためのペン入力型情報処理装置をさらに有し、前記制御手段は、ペン入力型情報処理装置にて入力された外部入力情報に基づいて、前記入出力情報を前記表示手段に表示することを特徴とする。
【００４２】
請求項１３に記載の発明によれば、このペン入力型情報処理装置としては、名刺サイズの自分のメモタブレットを持っていて、手書きのインクデータにより書き込むことができる。
【００４３】
請求項１４に記載の発明に係る表示装置は、請求項３において、前記複数種類の情報に含まれる音声情報を入力する音声入力手段と、前記操作手段の操作入力に基づいて、前記音声情報の入力を制御する音声入力制御手段と、をさらに有することを特徴とする。
【００４４】
請求項１５に記載の発明に係る表示装置は、請求項３において、前記複数種類の情報に含まれる前記音声情報を出力する音声出力手段と、前記操作手段の操作入力に基づいて、前記音声情報の出力を制御する音声出力制御手段と、をさらに有することを特徴とする。
【００４５】
請求項１４及び１５に記載の各発明によれば、音声入力手段、音声出力手段を有することで、音声情報も扱うことができ、視覚にて認識できる表示部に加え、聴覚にても認識可能なので、視覚聴覚双方からのユーザーへの情報伝達を行なうことができるので、よりリアリティが増す。
【００４６】
請求項１６に記載の発明に係る表示装置は、請求項１５において、前記音声情報は、送受信される音声通信情報と、音声通信情報のサイズに関する音声サイズ情報と、を有し、前記アイコン情報は、前記音声通信情報に対応した異なる形状の複数の第６のアイコン情報を有し、前記制御手段は、前記音声サイズ情報に基づいて、複数の異なる形状の前記第６のアイコン情報を選択的に表示することを特徴とする。
【００４７】
請求項１６に記載の発明によれば、音声通信情報の情報量を、第６のアイコン情報の形状にて表現されているので、ユーザーは、視覚的に情報量を容易に確認できる。
【００４８】
請求項１７に記載の発明に係る表示装置は、請求項１４において、前記音声情報は、予定が音声入力された音声入力情報と、ユーザーが前記音声入力情報の予定実行時間を指定した指定時間情報と、を有し、前記制御手段は、前記指定時間情報に基づいて、前記アイコン情報を作成順に表示処理することを特徴とする。
【００４９】
請求項１７に記載の発明によれば、音声入力情報例えばボイスメモ情報が作成順に表示されるので、ユーザーが意識しなくても、音声入力情報の各ファイル内容を時系列で視覚的に視認できる。しかも、複数の音声入力情報を、指定時間情報に基づく重要度、緊急度によって、経時的に表示できる。これにより、重要な音声入力情報のアイコン情報を配列により他のアイコン情報と区別化して、ユーザーは当該情報の重要度を一目で認識できる。
【００５０】
請求項１８に記載の発明に係る表示装置は、請求項１７において、前記音声情報は、前記音声予定情報のサイズに関する音声サイズ情報を有し、前記アイコン情報は、前記音声予定情報に対応した異なる形状の複数の第８のアイコン情報を有し、前記制御手段は、前記音声サイズ情報に基づいて、複数の異なる形状の前記第８のアイコン情報を選択的に表示することを特徴とする。
【００５１】
請求項１８に記載の発明によれば、音声予定情報の量を、アイコン情報の形状にて表現されているので、ユーザーは、視覚的に情報量を容易に確認できる。
【００５２】
請求項１９に記載の発明に係る表示装置は、請求項６において、前記表示手段は、前記操作手段による操作入力が一定期間行われない場合に、前記表示画面を隠蔽する第５の背景表示エリアを有し、前記制御手段は、前記期間に基づいて、前記第５の背景表示エリアのみ拡大表示表示することを特徴とする。
【００５３】
請求項１９に記載の発明によれば、表示内容を見られたくない場合は、第５の背景表示エリアにより、隠蔽することができる。
【００５４】
請求項２０に記載の発明に係る表示装置は、請求項１９において、バッテリーレベルを検出するバッテリー残量検出手段を有し、前記制御手段は、前記バッテリー残量検出手段の検出結果に基づいて、前記第５の背景表示エリア上に前記バッテリーレベルを表示制御することを特徴とする。
【００５５】
請求項２０に記載の発明によれば、バッテリーの残量を視覚的に視認できる。
【００５６】
請求項２１に記載の発明に係る表示装置は、請求項１９において、前記制御手段は、前記表示画面の一部のみ前記第５の背景表示エリアにて隠蔽し、前記表示画面の他の領域において前記アイコン情報のみを表示させるように制御することを特徴とする。
【００５７】
請求項２１に記載の発明によれば、アイコン情報例えばＴＯＤＯリストのみ隠蔽されないよう形成することで、表示画面の隠蔽を図りながらも、必要最小限の表示情報を表示できる。
【００５８】
請求項２２に記載の発明に係る表示装置は、請求項３において、バッテリーレベルを検出するバッテリー残量検出手段を有し、前記制御手段は、前記バッテリー残量検出手段の検出結果に基づいて、前記表示画面上に前記バッテリーレベルを表示制御することを特徴とする。
【００５９】
請求項２２に記載の発明によれば、各モードに切り換えなくても、バッテリーの残量を視覚的に視認できる。
【００６０】
請求項２３に記載の発明に係る表示装置は、請求項３において、前記制御手段は、前記第２のモード使用時に、拡大表示される背景表示エリアをハイコントラスト表示とし、他の背景表示エリアをローコントラストとするように制御する背景画面制御部を有することを特徴とする。
【００６１】
請求項２３に記載の発明によれば、使用しているエリアの背景表示をハイコントラスト表示とすることで、どのエリアを使用しているのか一目で認識できる。
【００６２】
請求項２４に記載の発明に係る表示装置は、請求項３において、前記記憶手段は、前記複数種類の情報をアルファベットを基準として検索するための検索用選択文字情報を配列表示するデータベース表示情報と、前記複数種類の情報をアルファベットの少なくとも頭文字を検索語として検索するための検索プログラムと、を有し、前記制御手段は、前記操作手段の操作入力により前記検索用選択文字情報を用いて検索語を指定し、前記検索プログラムにより前記複数種類の情報の検索を行い、検索結果情報を出力するように下層表示制御することを特徴とする。
【００６３】
請求項２４に記載の発明によれば、検索をアルファベットを基準として行なう方式であることから、複雑な階層構造をとらずに済み、あらゆる複数種類の情報を一発検索できる。
【００６４】
請求項２５に記載の発明に係る情報記録媒体は、表示画像を生成するための情報を少なくとも格納するための情報記録媒体であって、通信情報に対応するアイコン情報を配列表示する第１の背景表示エリア、スケジュール情報に対応する前記アイコン情報を配列表示する第２の背景表示エリア、前記第１、第２の各背景表示エリアにて享受される複数種類の情報を検索するためのアイコン情報を配列表示する第３の背景表示エリア、を各々表示するための第１〜第３の各背景画面用キャラクタデータと、各前記アイコン情報と、前記第１〜第３の各背景画面用キャラクタデータに基づいて、前記第１〜第３の各背景表示エリアを前記表示画面上に各エリア毎に生成し、各エリア毎に前記アイコン情報を表示制御するための情報と、を有することを特徴とする。
【００６５】
請求項２５に記載の発明によれば、複数種類の情報に対応したアイコン情報は、第１〜第３の表示エリア（背景画面）上に属性（通信、スケジュール、データベース検索）に応じて分類されて表示される。このため、ユーザーは、第１〜第３の表示エリアの区分、背景画面を見るだけで、当該エリア中のアイコン情報の機能（アプリケーション）を視覚的に認識できることとなる。従って、従来のように単にアイコン情報が羅列されたり、アイコン情報と文字情報とを組み合わせて表示されていたメニュー画面に比して、ユーザーの操作性が向上する。特に、表示画面が小さい場合には、アイコン情報を識別するための文字情報を表示する必要がないので、有効である。
【００６６】
請求項２６に記載の発明に係る情報記録媒体は、請求項２５において、前記複数種類の情報を、アルファベットの少なくとも頭文字を検索語として検索するための検索プログラム情報と、操作手段の操作入力により検索用選択文字情報を用いて前記検索語を指定し、前記検索プログラムにより前記複数種類の情報を検索を行い、検索結果情報を出力するための情報と、を有することを特徴とする。
【００６７】
請求項２６に記載の発明によれば、検索をアルファベットを基準として行なう方式であることから、複雑な階層構造をとらずに済み、あらゆる複数種類の情報を一発検索できる情報記録媒体を提供できる。
【００６８】
請求項２７に記載の発明に係る携帯型情報処理装置は、請求項１〜請求項２４のいずれかに記載の表示装置を含むを特徴とする。
【００６９】
請求項２７に記載の発明によれば、上記のようにメニュー画面を背景表示エリアの区別、アイコン情報の配列方法や形状等を属性に応じて意味付けするようにして、視覚的に視認できる構成とすることで、小型の情報処理装置に適用した場合には、当該アイコン情報の機能をユーザーが視覚的に視認できるので、非常に使い勝手のよい携帯型情報処理装置を提供できる。
【００７０】
請求項２８に記載の発明に係る携帯型情報処理装置は、請求項２７において、前記表示装置に配設されユーザーの腕に装着される腕装着部をさらに有することを特徴とする。
【００７１】
請求項２８に記載の発明によれば、腕に装着できるような小型の携帯型情報処理装置に適用できる。
【００７２】
請求項２９に記載の発明に係る電子機器は、請求項２５又は請求項２６に記載の情報記録媒体を含む。
【００７３】
請求項２９に記載の発明によれば、上述の小型の携帯型情報処理装置のみならず、一般の例えばパーソナルコンピュータ等にも上述のメニュー画面を構成して、利便性の向上を図ることができる。
【００７４】
【発明の実施の形態】
以下、本発明を表示装置に適用した実施の形態について、図面を参照して具体的に説明する。
【００７５】
［実施の形態１］
（システムの全体構成）
図４及び図５には、本発明が適用されたシステムの好適な一例が示されている。本例のシステムは、第１の情報処理装置として一又は複数のユーザ端末、ＰＤＡであるリスト型の携帯機器２と、第２の情報処理装置として所定のサービスを提供するホストコンピュータであるパーソナルコンピュータ（以下「ＰＣ」という）ＰＣ１と、を有する。このＰＣ１と携帯機器２とで、通信を行うことができるようネットワークを構成している。ＰＣ１は、例えば自宅、会社等に設置されており、携帯機器２は、装着者が腕等に装着して使用するものとする。
【００７６】
ＰＣ１は、周知のように高性能のコンピュータを用いて構成されており、その内部には、図５に示すように、時間を計側する計時部１１と、各種データが記憶される記憶部１２と、データを表示する表示部１３と、表示部１３に表示される各種複数種類の情報を操作する操作部１４と、他の情報処理装置例えば携帯機器２との間で情報の送受信を行なう通信手段１５と、音声情報を出力する音声出力部１６と、音声情報を入力する音声入力部１７と、これらの各部を司るＣＰＵ１８と、を有する。
【００７７】
記憶部１２内には、ＰＣ１自体を動作させる専用のソフトウエア、本発明の特徴画面を生成するための専用のアプリケーションソフトウエア等各種のプログラム、携帯機器２にダウンロードするためのＷｅｂブラウザ、プロトコル等のその他のデータ等が記憶されている。
【００７８】
特に、上記特徴画面を生成するソフトウエアは、専用のＰＣカード等にてＰＣ１本体の記憶領域とは、別途独立して形成することが好ましい。
【００７９】
（データ同期化について）
携帯機器２は、独立して使用するものであるが、図４に示すように、携帯機器２をシステムとしてＰＣ１と同期化させて使用することもできるよう構成される。
【００８０】
このデータ同期化を行なうためには、種々の手法が考えられる。例えば、ＰＣ１及び携帯機器２に、携帯機器２のデータとＰＣ１に保持されるデータの表示の比較を行い、データの更新及び同期化を指示する図示しないデータ更新手段を形成する。この場合に、データ更新手段は、図５に示すブロック図のＰＣ１側の通信手段１５、及び携帯機器２側の通信手段２５内に各々設けることが好ましい。
【００８１】
また、他のデータ同期化の方法としては、携帯機器２の電源のオンによるシステムの立ち上げと共に、携帯機器２からの要求に応じ、ＰＣ１の記憶部１２に記憶されたデータを携帯機器２の記憶部２２内にダウンロードする。そして、データを変更する必要が生じた場合には、ＰＣ１の記憶部１２内のデータを書き換える。その後、携帯機器２の立ち上げにより、携帯機器２は変更されたデータに基づいて同一状態に設定される。
【００８２】
これにより、ＰＣ１又は携帯機器２のいずれか一方の機器で、基本的なデータ入力や変更を行うと携帯機器２又はＰＣ１も自動的に更新される。本例では、双方の機器１、２間の距離が遠距離であっても、ユーザーが意識せずに双方の機器１、２を同期化させることができる。
【００８３】
また、ＰＣ１の表示部１３で携帯機器２の表示部２３の内容を編集する場合、ＰＣ１の表示部１３の画面の一部に携帯機器２のイメージが表れる（図５２）。従って、ＰＣ１側での情報を切り取り、当該ウインドウ内に貼り付けることで、携帯機器２側に所望の画像を取り込むことができる。この詳細については、実施の形態５で詳述する。特に、ＰＣ１内にＰＣカードを組み込む場合に、表示が閲覧でき有効となる。
【００８４】
そして、本例システムでは、ＰＣ１側の表示部１３のサイズは大きく、携帯機器２側の表示部２３のサイズは小さく形成される。このため、単なる同期化を行うのみでは、携帯機器２側ではＰＣ１側の表示画像が単に圧縮されて表示画像に表示されるにすぎない。そこで、本例では、表示部１３と表示部２３の各表示画面は同一のイメージを持ち、ユーザーが自然に二つの機器を同じものとしてとらえることができるように構成するため、以下の工夫がなされている。
【００８５】
即ち、携帯機器２側で、ＰＣ１側で形成されるキャラクタパターンとは異なる独自のキャラクタパターンを形成することで、同一イメージでありながら、携帯機器側での各種アイコンの表示をユーザーに解りやすく表示している。しかも、背景及びアイコンのキャラクタイメージを同一にすることで、初心者にも視覚的に理解し易いユーザーインターフェースとしている。
【００８６】
（携帯機器のハードウエア構成について）
図４及び図６には、携帯機器２の外観図が概略的に示されている。本例の携帯機器２は、装着者の腕等に装着可能となるように、小型且つ軽量に形成されており、具体的には、装着者の腕に装着される腕装着部２０（図４）と、この腕装着部２０に接続された例えばＬＣＤディスプレイ等にて形成される表示手段としての表示部２３と、表示部２３の上下左右に形成されて表示画面の各種の操作を行なう操作手段としての操作部２４と、を有している。
【００８７】
操作部２４は、第１の操作ボタンとしてのスライダー２４Ａと、第２の操作ボタンとしての録音ボタン２４Ｂと、第３の操作ボタンとしてのトラックポイント２４Ｃを有している。
【００８８】
具体的には、図６に示すように、表示部２３の右側には、矢印ＡＢ方向に各々スライド移動するモード選択手段としてのスライダー２４Ａが配置されており、表示部２３の左側には、音声入力部を機能させる録音ボタン２４Ｂが配置されており、表示部２３の下側には、矢印ＣＤＥＦ方向に各々移動させて表示画面上のカーソルを上下左右に移動するカーソル操作キーとしてのトラックポイント（ＩＢＭ社商標）２４Ｃが配置されている。スライダー２４Ａは、矢印ＡＢ方向に１回又は複数回スライド移動させることで（ノティファイモード＋メモモードである）コミュニケーション表示モード、カレンダーモードであるスケジュール表示モード、ディレクトリーモードであるデータベース表示モード、のうちのいずれかのモードを選択するものである。
【００８９】
さらに、携帯機器２は、図５に示すように、携帯機器２の制御を司どるＣＰＵ２８を有し、そのバスラインには、操作部２４及び表示部２３が接続される。なお、図１２、１３に示す表示制御部の機能は、ＣＰＵ２８の表示駆動機能および表示部２３内の図示しない表示用インターフェースにより実現される。
【００９０】
ＣＰＵ２８のバスラインには、記憶手段としての記憶部２２が接続される。この記憶部２２内は、例えば図１４に示すように、管理プログラムが格納されるコントロール部２２Ａと、各種のデータが格納される実データ部２２Ｂを有する。尚、この実データ部２２Ｂの詳細については後述するが、記憶部２２内の実データ部２２Ｂのデータは、例えばＲＯＭ、ＲＡＭ等に記憶させることが好ましい。この場合、ＲＯＭ内には、アイコンのキャラクタデータ、メニュー画面の背景画面用のキャラクタ（背景イメージ）データ、フォントデータ、各アイコンの背景イメージ上の配置位置を定義した配置位置データ等を格納したデータメモリを有する。また、ＲＯＭ内には、本例のメニュー表示を行なうプログラムや、本例装置が持つ各種機能を定義した機能プログラム、携帯機器２の電源がオンされた際に、ＣＰＵ２８を駆動し自機を立ち上げるためのブートプログラム、後述する第１〜第４の表示設定部にて設定される予め定められた表示用プログラム等の各種プログラムを格納したプログラムメモリを有する。ブートプログラムは、携帯機器２の電源をオンした際に、ＰＣ１の記憶部１２にアクセスし、Ｗｅｂブラウザ、通信用の各種プロトコル、その他のデータ等を読込み、ＲＡＭ内にダウンロードするよう構成される。
【００９１】
ＲＡＭ内には、各種の設定用画面に対して入力された入力情報が記憶される。従って、第１〜第４の表示設定部の各機能は、ＣＰＵ２８の表示設定機能と記憶部２２および記憶部２２内に配設された図示しないメモリ用インターフェースの機能により実現される。
【００９２】
ＣＰＵ２８のバスラインには、さらに、計時手段としての計時部２１、音声入力手段としての音声入力部２７、図示しないマイクロホン等が設けられた音声出力部２６等が接続されている。
【００９３】
また、図５に示すブロック図のように、ＣＰＵ２８のバスラインにはＰＣ１と通信を行うための通信手段２５が接続される。そして、この通信手段２５の中には、赤外線通信を行なう赤外線通信部（ＩＲＤＡ）２５Ｄと、無線通信２５Ｃを行なう無線通信部２５Ｃと、これら各々に接続されてモデムの機能を有するモデム２５Ｂと、電話機２５Ｅと、この電話機２５Ｅそのものをシリアルのインターフェースとして含み、前記モデム２５Ｂに接続される通信部２５Ａと、を有する。この通信部２５ＡがＣＰＵ２８に接続される。また、赤外線通信部（ＩＲＤＡ）２５Ｄ内には、赤外線の送信部（ポート）を有する。モデム２５Ｂは、シリアルのビット列をＣＰＵ２８が受け取るソフトモデムとして構成される。そして、モデム２５Ｂ内には、赤外線のインターフェースがあり、モデム２５Ｂ及び通信部２５Ａの処理はＣＰＵ２８が行なう。このため、携帯機器２は、赤外線通信による通信と、電子メールの送受信とが可能である。
【００９４】
また、ＣＰＵ２８には、ユーザーに情報告知を行うための告知手段２９Ｂが接続されている。この告知手段２９Ｂとしては、例えば、段階的な振動等にてユーザを刺激する振動発生手段、段階的なにおいを発生するにおい発生手段、段階的にアラームの音色を変更する音色変更手段、段階的に調整可能な光を発生する光発生手段、段階的に調整可能な電気ショックをユーザーに与える放電発生手段、等が挙げられる。さらに、ＣＰＵ２８には、バッテリーとしての電源供給手段のバッテリー容量を検出するバッテリー容量検出手段２９Ａが接続されている。
【００９５】
また、水平面に対する表示部の姿勢角度を検出する図示しない検出手段をも接続しても良い。この場合には、ＣＰＵは、検出手段の検出結果に基づいて、当該検出角度が所定の姿勢角度の範囲内であるときに、電源をオンとし、所定の姿勢角度の範囲外であるときに、電源をオフとするように制御する姿勢スイッチ制御部として機能する。これにより、表示装置自体を所定の角度に傾けることで、電源をオン、オフすることができ、ユーザーが表示装置の表示画面を閲覧しない時には、電源をオフにして、無駄な表示動作を省いて、低消費電力化が図れる。
【００９６】
（ＰＣ側の表示画面）
本発明において特徴的なことは、表示画面上に表示される複数種類の機能を有する各アイコンを、一つの時間軸上に対応して貼付表示することにある。また、ＰＣの表示部と携帯機器の表示部とでは、表示部の方が画面サイズが小さいので、最大時間軸も小さくなる。従って、必要最低限なアイコンの表示ができる。
【００９７】
表示部１３に表示される表示画面は、図１に示すように、大きく分類すると、コミュニケーション表示エリア３０・４０と、スケジュール表示エリア５０（アクション）と、データーべース表示エリア６０の３層に分類表示されている。さらに、コミュニケーション表示エリア３０・４０は、電子メール等の着信による情報告知がなされて下層のノティファイモードに移行するための領域ノティファイエリア３０と、メモ等の内容を閲覧するための下層のメモモードに移行するためのメモエリア４０と、に表示領域を分類できる。スケジュール表示エリア５０は、ユーザーのスケジュール等を表示するためのスケジュール表示モード、カレンダーモードとして機能する領域である。データベース表示エリア６０は、上述の電子メールの送信者のリストや住所録等を分類しておく下層のディレクトリーモード、データベース表示モードを開くための領域である。
【００９８】
この場合、コミュニケーション表示エリア３０には、背景画面として空のメタファが表示され、スケジュール表示エリア５０には、背景画面として地上のメタファが表示され、データベース表示エリアには、背景画面として地下のメタファが表示されている。
【００９９】
コミュニケーション表示エリア３０・４０には、電線に沿って複数の異なる形状・色からなる伝書鳩アイコン３１と、巣箱アイコン３２と、花アイコン４１と、花瓶アイコン４２と、が表示されている。
【０１００】
この伝書鳩アイコン３１は、電子メールのメタファとして表示され、操作部２４の操作により例えばクリックすることで、電子メールの内容を閲覧表示することができる。この電子メールを開くと、図２のような下層のメニュー画面３４が表示される。このメニュー画面３４は、図２の「Synfo」タブ３３Ａの下位のプルダウンメニューである「Recognize」（認識）タブ３３Ｂをクリックすることで閲覧できる。尚、他の「Synchronize」タブは、データ同期化を行なうためのものである。
【０１０１】
また、この伝書鳩アイコン３１は、電線に沿って、電子メールの着信順に時間軸に沿って時系列に整列配置されている。さらに、この伝書鳩アイコン３１は、その形状や色によって特有の機能が割り当てられている。例えば黒の伝書鳩アイコン３１Ｄは、電子メールの中身、内容、伝達事項が緊急の情報であることを意味し、白の伝書鳩アイコン３１Ｃは、電子メールの内容が重要事項であることを意味する。
【０１０２】
巣箱アイコン３２は、閲覧された電子メールをその内容毎に分類格納する機能を有し、各巣箱アイコン３２には、複数の電子メールが格納されることとなる。本例では、仕事用（Work）の巣箱アイコン３２Ａと、個人用（Personal）の巣箱アイコン３２Ｂとに分類することで、ユーザーは、複数の電子メールの整理、管理を行なうことができる。このように、電子メール情報の内容に応じて機能別に分類された複数の各機能別アイコン情報を有している。また、着信された電子メールの数がある一定数値を超えると、即ち、伝書鳩アイコン３１の数がある数を超えると、単一のキャラクタである巣箱アイコン３２（例えば第３のアイコン情報）に電子メールが格納される機能をもたせても良い。
【０１０３】
花アイコン４１は、ペン入力等により手書にて入力されたメモに関する情報を格納する機能を有し、この花アイコン４１をクリックすることにより、メモの書かれたポストイットタブ４３が表示画面上に表示される。このポストイットタブ４３は、操作部２４のドラッグ等により表示画面上の位置を、各表示エリアに拘らず、自在に変更することが可能である。従って、例えばメモに書かれた内容が、ある時間の予定に関するものである場合は、スケジュール表示エリア５０上の所望の時間軸上に貼付けることも可能であるし、時間とは全く関係のない例えば電話番号等であれば、表示画面上の例えば空に直接ポストイットタブ４３を貼付することができる。尚、ポストイットタブ４３を再度クリックすることにより、元の花アイコン４１に表示態様が戻ることとなる。また、このポストイットタブ４３内の手書き文字入力は、図３に示す「ポストイット作成メニュー」としてのメモウインドウ３５にて、メモ入力を行なうことで入力できる。そして「ポストイットの情報を保存」とし、ドラッグ等により所望の位置に貼付けを行なうとするのが好ましい。
【０１０４】
また、花瓶アイコン４２は、メモに書かれた内容に応じて、機能別に分類されており、一つの花瓶アイコン４２に複数の花アイコン、即ちメモに関する情報が格納されることとなる。本例では、花瓶アイコン４２は、New と表示された新しい比較的最近入力された情報を有する複数のメモが格納されるNew 花瓶アイコン４２Ａと、未来にしなければならない事項を記した情報を有する複数のメモが格納されるTo-do-list花瓶アイコン４２Ｂと、緊急の内容を記した情報を有する複数のメモが格納されるUrgent花瓶アイコン４２Ｃと、を有する。
【０１０５】
さらに、花瓶アイコン４２の花の数がメモの数を表している。このような表示では、例えば１個、２個、３個以上というふうに分け、３種類のキャラクタを用意しておき、３つ以上の複数のメモが格納される場合には、実際のメモの数が１０個であっても、表示部２３には、単に「３本の花」のアイコンを表示するようにする。このようにすることで、キャラクタパターンを最小限にすることができ、メモリ容量を確保して、高速表示処理が可能となる。
【０１０６】
スケジュール表示エリア５０には、表示画面の一方向に沿って時間軸が合成表示され、対応する各時間に、スケジュールリスト５１が表示されている。さらに、スケジュール表示エリア５０とコミュニケーション表示エリア３０に跨ってポストイットタブ４３が貼り付けられている。
【０１０７】
データベース表示エリア６０には、各データベースへの入力タブ、clients６１、vendors６２、personal６３、の各タブが用意され、いずれかをクリックすることにより下位メニューにプルダウンできる。
【０１０８】
（携帯機器側の表示画面）
図７には、携帯機器２の表示部２３上の表示画面の一例が示されている。本例において、表示部２３上には、スクリーンセーバーとしての初期画面においては、図６に示すように、ＰＣ１の表示画面に表示された３つのメタファ、空、地面、地下と同様の背景画面上に、時刻と日付の表示が表示されている。
【０１０９】
スライダー２４Ａを操作することで、図７に示されるメイン画面となる。このメイン画面には、ＰＣ１の表示画面に表示された３つの各エリア（図１のコミュニケーション表示エリア３０・４０、スケジュール表示エリア５０、データベース表示エリア６０）と同一属性の各エリア（図７のコミュニケーション表示エリア７０・８０・スケジュール表示エリア９０・データベース表示エリア１００）が３分割表示されている。この３つのエリアのいずれかのエリアをクローズアップすることで、各々のエリアのモードに移る。
【０１１０】
本例では、これらの各エリアに自然眺望のメタファを採用している。具体的には、表示部２３の上層は、ＰＣ１や、ＰＣ１を介して他の情報機器から送信されてくる情報を表示するコミュニケーション表示エリア７０・８０であり、空は、突然変化する天候等、外部から情報が飛び込んでくるイメージであることから、背景画面を空の画面にして表示する。このコミュニケーション表示エリア７０・８０は、電子メール等の着信による情報告知がなされて下層のノティファイモードに移行するための領域ノティファイエリア７０と、メモ等の内容を閲覧するための下層のメモモードに移行するためのメモエリア８０と、に表示領域を分類できる。
【０１１１】
表示部２３の中層は、ユーザーのスケジュール等を表示するためのスケジュール表示モード、カレンダーモードとして機能するスケジュール表示エリア５０であり、地上は、地表を時間と考えて人が移動するイメージであることから、背景画面を地面の画面にして表示する。
【０１１２】
表示部２３の下層は、上述の電子メールの送信者のリストや住所録等を分類しておく下層のディレクトリーモード、データベース表示モードを開くためのデータベース表示エリア１００であり、地下は、安定したものを意味することから、背景画面を地下の画面として表示する。
【０１１３】
これらのうち、使用中のエリア、アクティベートする画面が拡大表示され、かつ、使用中のエリアは、ハイコントラストに表示され、他のエリアはローコントラストにて表示される。
【０１１４】
さらに、表示部２３には、図８Ａ、図８Ｃに示すように、図１に示すＰＣ１の表示画面同様に、各プログラムの機能を、風景に合わせた各種のアニメーションキャラクタ（メタファ）にて表示された複数のアイコンを設定している。例えば図８Ａに示す空の背景上に表示される伝書鳩アイコン７３Ａは、電子メールを意味し、図８Ｃに示す花アイコン８１Ａ・８１Ｂ・８２は、ボイスメモ及びハンドライトメモを意味し、図９Ｃに示す蝶１１０は、カーソルを意味する。このように、これらのアイコン７３Ａ・８１Ａ・８１Ｂ・８２等は、ＰＣ１側の表示画面に表示されるアイコンと同様の属性を有する。
【０１１５】
ここにおいて、ＰＣ１側では、各アイコンのキャラクタを高解像度対応のビットマップデータとし、かつ、文字情報も表示するが、携帯機器２側では、各アイコンのキャラクタを比較的低解像度対応のビットマップデータ、即ちＰＣ側よりもキャラクタを簡略化した表示として、かつ、文字情報を表示しないように構成している。このようにすることで、携帯機器１では、表示画面が腕時計のそれのようにかなり小さくても、アイコンの意味するキャラクタを明確に表示できるので、小型化の観点からも好ましい。さらに、キャラクタデータに要するビットマップデータも少なくて済み、携帯機器２側に設置されるメモリ容量の低減化、あるいは記憶部２２内の上位アドレスのコントロール部、実データ部以外の下位アドレスにおけるメモリ使用領域を拡大して、他の情報を記憶するのに有効に利用できたり、処理速度の高速化にも寄与できる。
【０１１６】
アイコンは、機能が割り付られている場合には、これに対応するキャラクタとして動物を表す伝書鳩７３Ａのキャラクタが表示される。これにより、ユーザは、各アイコンに割り付けられた機能を視覚的に瞬時に判別することができる。尚、表示される画面の内容に応じて、操作部に対し割り付けられる機能を随時変化するよう構成しても良い。
【０１１７】
（各種モードの詳細）
このような階層構造を概略的にまとめたのが、図１０である。同図に示すように、本例装置では、メイン画面より、スライダー２４Ａを用いて３つのモード（コミュニケーション表示モード・スケジュール（アクション）表示モード（カレンダーモード）・データベース表示モード（ディレクトリーモード））、あるいはコミュニケーション表示モードを２つのノティファイモード、メモモードに分類する場合には、４つの各モードに切換可能である。
【０１１８】
コミュニケーション表示エリア７０・８０には、ＰＣ１から自発的に携帯機器２へ送信される各種の電子メール等の伝書鳩アイコン７３Ａが着信順に整列配置して表示される。
【０１１９】
即ち、図６に示すスライダー２４Ａを操作することで、図８Ａに示すように、コミュニケーション表示エリア７０・８０が他の各表示エリアに対して拡大表示される。そして、例えば伝書鳩アイコン７３Ａをクリックすると、電子メールの表題即ち、発信者の絵文字又は顔写真７４ａと着信時刻７４ｄと、発信者名７４ｂ、電子メールであることを意味するアイコン７４ｃが記載されたウインドウ７４が表示され、さらに操作するとその電子メール７５の内容が表示されることとなる。ここで、電子メール発信者を表す顔写真７４ａは、必要に応じて絵文字に自動変換（テキストデータ→絵）できる。このように、複数種類のデータを自動的に好みのメディアに変換できる。
【０１２０】
ここで、電子メールが携帯機器２に着信した場合には、情報告知のために、音声出力部から音声により告知すると共に、表示部２３においても電子メールのダイジェスト、告知用画面７４が、メイン画面上に割込表示される。
【０１２１】
また、この着信は、音声でユーザに知らせる他、音色、振動、におい、光、電気ショック等で情報告知することもできる。この場合には、音色変更制御手段、振動制御手段、におい制御手段、光量、光色制御手段、電気制御手段と各出力手段が設けられることが好ましい。また、この告知は、ユーザーの状況に応じた告知の度合いに強弱をつけるように構成しても良い。
【０１２２】
尚、伝書鳩アイコン７３は、その形状や色によって特有の機能が割り当てられている。例えば黒の伝書鳩アイコンは、電子メールの中身、内容、伝達事項が緊急の情報であることを意味し、白の伝書鳩アイコン７３Ｃは、電子メールの内容が重要事項であることを意味する。また、鸚鵡アイコン７３Ｂは、ボイスメールを意味する。
【０１２３】
また、図８Ｄに示すように、花アイコン８２をクリックした場合には、メモの表題、即ち、メモが入力された時刻が記載されたウインドウ８３が表示され、さらに操作すると、図８Ｃに示すように、手書きのメモが記載されたポストイット形状のウインドウ８４が表示される。尚、花アイコン８２をクリックすると、伝書鳩アイコンの表示位置は表示画面上に一番上に表示される。
【０１２４】
この花アイコン８２の花びらの数は、メモ内容のファイルサイズ即ち情報量を意味しており、花びらの数が多いほど、情報量が多いことを意味する。さらに、花アイコン８２と、形状種類の異なる花アイコン８１Ａ・８１Ｂは、ボイスメモを意味している。このようにして本例では、例えばデータ量、重要度、緊急度等を、アイコンの大きさ、色、形、動き、点滅等で表現することにより、アイコンの持つ意味を付加し、アイコンをデータの性質に応じて変えている。
【０１２５】
スケジュール表示エリア５０には、時、日、週、月の各単位の時間軸を各々有するモードを切換可能に形成される。また、図９Ａに示すように、スライダー２４Ａを操作することで、スケジュール（アクション）表示モードになると、スケジュール表示エリア９１Ａが他の各エリアに対して拡大し、他のコミュニケーション表示エリア７０・８０、データベース表示エリア１００が縮小表示される。
【０１２６】
このスケジュール表示モード９０においては、先ず時間軸が時刻単位で下方に表示され、この時間軸に対応してスケジュールのリスト出力を行なうためのスケジュールアイコン９２が貼付け表示されている。このスケジュールアイコン９２には、その内容の概略を示したフォントも付随して表示される。
【０１２７】
また、時間軸９３Ａは、略網目上の予定有無表示エリア９３Ａを有しており、この各予定有無表示エリア９３Ａの背景画面を着色表示とすることで、何時に予定が入力されているかが一目で解るようになっている。このようにして、表示画面上には、作成又は着信した表示データをその時点での時間軸において表示データの内容を整理管理できる。これにより、複雑な階層構造をとらずに時間をキーとして容易に検索できる。データを意図的にある時間軸上に移動することで、スケジュールとして活用することができる。
【０１２８】
さらに、現在時刻を境界線として、過去を示す背景画面９５をも着色表示することで、現在時刻と予定が入っている時間がどれくらいあるのか、既に予定は過去のものとなったのか等をユーザーが視覚的に認識できる。本例では、時間軸の表現、過去と未来とを表示色（又は白黒反転）で識別することができる。現在の位置は、異なる表示色の境界で表現する。これにより、表示の時、象限が過去、未来、現在が、一目で分かる。なお、時刻単位に表示された時間軸上には、日付も表示されている。
【０１２９】
スケジュール表示モード９０には、スケジュール表示領域内に５時間分の予定表示を行なうことのできる時間単位の５hour view ９１Ｂ（図９Ｂ）、日単位のカレンダーを表示するDay view９１Ａ（図９Ａ）、週単位のカレンダーを表示するWeek view９１Ｃ（図９Ｃ）、月単位のカレンダー表示を行なうMonth view ９１Ｄ（図９Ｄ）、の４つの各モード毎に表示できるように構成される。
【０１３０】
尚、１週間分を表示するWeek view ９１Ｃにおいては、このスケジュールアイコン９２は、黒色で表示されるアイコン９２Ａと斜線で表示されるアイコン９２Ｂとの２種類を有する。この２種類のアイコンを形成することで、スケジュールの内容を区別している。
【０１３１】
また、トラックポイント２４Ｃにより、カーソル１１０を操作することで、過去又は未来方向にカレンダーの表示画面をスクロールさせることができる。また、操作部２４により、スクロールと連動して、時間軸を拡大縮小（ズーム等）させることにより、例えば図９Ｂに示すように、各時間軸の間隔をピックアップしたりすることもできる。
【０１３２】
さらに、時間軸のスケールと連動した表示内容の拡大縮小もできる。ズームのスケール（５時間、１２時間、一週間のスケジュール等）に合わせてデータの表示する範囲を自動的に変化させる。ここで、時間軸のスケールの拡大、縮小で各スケジュール等に付髄する細かいデータは見えたり（拡大・一例として図９Ｂ）、見えなかったり（縮小・一例として図９Ｄ）する。縮小した場合でも、スケジュールのボリュームだけは面積的な表示をすることにより、概略の詰まり具合がわかる。この時間軸のスケール調整は、時間軸の各桁（月、週、日、時間等の階層）毎に調整できる。尚、選択された特定日の色彩や輝度を変化させる手段も有効である。また、時間軸が時の経過と共に動いていくので、現在と対象とする事象、イベント等との相対的な時間位置関係がよくわかる。
【０１３３】
尚、本例では、図９Ｃに示すように、カーソル１１０を蝶のメタファとして表示し、これにより、カーソル１１０を視覚的に強く認識できることとなる。ここで、カーソル１１０は、一定期間操作部２４による操作入力がある場合には、蝶がバタバタ舞うような構成とすることが好ましい。このように構成するためには、図示しない乱数生成部からの乱数に基づいて、現在の表示位置と、移動パターンを計算させて、不定期な移動を行なうようにし、かつ、カーソル１１０の指標が、移動中に形状が変化するように、動かす度にオン、オフを繰り返す等カーソル１１０の表示態様が変化する表示制御を行なう。このようにして本例では、カーソルを動き、点滅等で表現することにより、カーソルをデータの性質に応じて変化させる。尚、上記とは逆に一定期間操作部２４による操作入力がない場合に、例えばスクリーンセーバーのように、蝶がバタバタ舞うような構成としても良い。
【０１３４】
データベース表示エリア１００には、アルファベットのフォントが例えばＡＢＣＤ・・のように表示されている。ユーザーは、所望の人名、アドレス、会社名等をアルファベットを基準に選択することとなる。
【０１３５】
例えば、図８Ｅに示すように、アルファベットのＤを選択すると、頭文字がＤである各データの一群の一部がウインドウ１０２上に表示される。このウインドウ１０２が開くと、データベース表示エリア１００が他の各エリアに対して拡大表示され、コミュニケーション表示エリア７０・８０、スケジュール表示エリア９０は圧縮表示される。
【０１３６】
その後、操作部２４を操作することにより、図８Ｆに示すように、個人データ表示画面１０３上にＤａｌｅ、・・に関連した情報例えば勤務先の電話番号やＦＡＸ番号等が一覧表示されることとなる。
【０１３７】
尚、各種モードを表示しない間、即ち、操作部２４による操作入力が一定期間ない場合には、この表示部２３内に、例えば各種のスクリーンセーバーとして初期画面を表示する。また、必要に応じこのエリアを閉じ、あたかも瞼を閉じるが如くコミュニケーション表示エリアを背景が黒の領域で表示するように構成してもよい。
【０１３８】
（携帯機器のソフトウエア構成について）
図１２には、上記のような階層構造を達成するための、携帯機器のブロック図が示されている。
【０１３９】
同図において、各種モードを設定するための表示制御系として、操作部２４、音声入力部２７、第１〜第４の表示設定部２１０Ａ〜２１０Ｄ、表示制御部２６０、表示部２３、音声出力部２６、音声出力制御手段としての音声出力制御部２７０を有する。操作部２４は、第１〜第４の表示設定部２１０Ａ〜２１０Ｄに接続され、表示部２３の画面の選択および各種情報を設定入力する情報が出力される。本例では、操作部２４を、トラックポイント２４Ｃ等及びそのインターフェースにて構成している。トラックポイント２４Ｃを上下左右に移動させると、後述する表示制御によりカーソルが画面上にて移動し、これをクリックすることにより画面上に表示された各種メニューの選択等が可能となる。
【０１４０】
次に、第１〜第４の表示設定部２１０Ａ〜２１０Ｄの詳細を、図１２を参照して説明する。
【０１４１】
第１の表示設定部２１０Ａは、特定のメタファにて表示された背景画面上に、時刻を示すフォントデータを合成した電源ＯＮ後の初期画面を表示情報として設定する。そして、スライダー２４Ａを操作することで、メイン画面に移る。
【０１４２】
第２の表示設定部２１０Ｂは、４つの分割領域からなる上位メニュー群を表示情報として設定する。本例では、項目として４つのモード「ノティファイ」、「メモ」、「カレンダー」、「ディレクトリ」を有する。この４つのモードは、図７に示すように、表示部２３の画面中の上から順番に、「ノティファイ」モード７０は上部領域に、「メモ」モード８０は中部領域の上部領域に、「カレンダー」モード９０は中部領域の下部領域に、「ディレクトリ」モード１００は下部領域に表示される。この４つのモード群は、表示部２３の電源ＯＮ後の初期画面を経て設定されるメイン画面上に表示される。そして、スライダー２４Ａを操作することで、メイン画面上にていずれかひとつのモードを選択すると、当該選択モードの表示領域が拡大表示される。
【０１４３】
また、ドラックポイント２４Ｃを操作することで、メイン画面上にてカーソルを移動させ、いずれかひとつのモードを選択できる。この選択された情報は、第２の表示設定部２１０Ｂから、第３、第４の表示設定部２１０Ｃ、２１０Ｄに出力される。
【０１４４】
なお、上述したメイン画面上には、他に、「ノティファイ」及び「メモ」モードには、アイコン表示欄に各種のアイコン７３Ａ・８１・８２等が表示される。また、「カレンダー」モードには、時間単位の時間軸が表示され、当該時間軸上にスケジュールがある場合に背景を着色表示するための予定有無背景着色表示エリア欄に、背景色が表示される。「ディレクトリ」モードには、当該データベースを検索する場合の先頭文字となるアルファベットのフォント表示欄に、アルファベット順にＡ、Ｂ、Ｃ、Ｄ、Ｅ・・の文字が表示される。これら、各種アイコン、文字Ａ、Ｂ、・・・は、ドラックボイント２４Ｃを操作して、メイン画面上にてカーソルを移動させることで、いずれかひとつのアイコン、文字等を選択できる。この選択された情報は、第２の表示設定部２１０Ｂから、第３、第４の表示設定部２１０Ｃ、２１０Ｄに出力される。
【０１４５】
第３の表示設定部２１０Ｃは、第２の表示設定部２１０Ｂからの出力に基づき、この第２の表示設定部２１０Ｂにて選択されたアイコン、文字等の上位メニューに、さらに複数の下位メニューが存在する場合には、その下位メニュー群を表示情報として設定する。下位メニュー群の一例が、図８、９に示される。例えば、第２の表示設定部２１０Ｂにて「伝書鳩アイコン」７３Ａが選択された場合には、第３の表示設定部２１０Ｃにより、その下位メニュー群として「電子メール表示欄」７５（図８Ｂ）が各々表示情報として設定される。これらの下位メニュー群は、表示駆動部の駆動により表示部２３上のメイン画面上に開かれた例えばウインドウ等内に表示される。
【０１４６】
その後、トラックポイント２４Ｃを操作することで、各モード画面上にてカーソルを移動し、各モード画面上にていずれかひとつの下位メニューが選択される。この選択情報は、第３の表示設定部２１０Ｃから、第４の表示設定部２１０Ｄに出力される。
【０１４７】
第４の表示設定部２１０Ｄは、第２（又は第３の）表示設定部２１０Ｂ（２１０Ｃ）からの出力に基づき、選択された上位メニュー（その上位メニューに下位メニューが存在しない場合に限る）又は下位メニューに対応する表示画面又は設定用画面を表示情報として設定する。
【０１４８】
第４の表示設定部２１０Ｄにより画面が設定されると、表示駆動部は、各モード画面に代えて、表示部２３上にさらに下位のメニュー画面を表示制御することになる。
【０１４９】
例えば「カレンダー」モードで第３の表示設定部２１０Ｃで、「５hour view 」９１Ａを選択表示し、その中のスケジュールアイコン９２をクリックした場合には、当該スケジュールの内容が表示される。
【０１５０】
また、「ディレクトリ」モードで、第３の表示設定部２１０Ｃにより、名前表示設定画面１０２（図８Ｅ）を表示した場合には、第４の表示設定部２１０Ｄにより、個人データ表示画面１１０３（図８Ｆ）が表示される。
【０１５１】
尚、この後に、選択された項目に対応する各種情報を、トラックボールの操作により入力することも可能となる。トラックボールの操作により設定された条件情報は、表示部２３上に表示されている設定用画面中に重畳して表示され、設定した情報の確認が可能となる。
【０１５２】
また、下位メニューが複数ある場合には、必要に応じて、第５、第６・・の表示設定部を形成すれば良い。
【０１５３】
（表示設定部）
ここにおいて、各表示設定部２１０の詳細を図１３を用いて説明する。同図に示すように、表示設定部２１０には、主として計時部２１からの時間情報と通信部２５から通信情報とに基づいてデータ本体の処理を行なうデータ処理部２３０と、データ処理部２３０からのデータ並びに操作部２４からの操作入力に基づいて表示画面上の背景イメージ、アイコン用キャラクタデータ等の生成を行い、表示画面自体を設定し、ユーザーインターフェースを処理するＵＩ処理部２４０と、データ処理部２３０にて処理されるデータ及びＵＩ処理部２４０にて処理される各種のデータが記憶された記憶部２２と、を有する。データ処理部２３０とＵＩ処理部２４０とは、操作部２４からの入力処理に対して互いに通信を行なう。
【０１５４】
データ処理部２３０は、メールのデータを処理するメール処理部２３０Ａ、メモのデータを処理するメモ処理部２３０Ｂ、データベースのデータを処理するデータベースデータ処理部２３０Ｃ、ボイスメモのデータを処理するボイスメモ処理部２３０Ｄ、・・・等各種アプリケーションの機能に応じた処理部が形成されている。
【０１５５】
このデータ処理部２３０にて処理される情報の種類としては、通信部２５からの通信情報と、計時部２１からの時間情報、操作部２４の操作に基づく入出力情報等が挙げられる。通信情報には、例えば通信部２５を介して送受信される電子メール情報と、この電子メール情報に付随するヘッダ部に格納されて当該電子メール情報の着信時間に関する着信時間情報と、を有する。この着信時間情報と電子メール情報とがセットで通信情報として記憶部２２内のデータ管理部２２０に格納される。また、通信情報が音声情報である場合には、音声通信情報は、ボイスメール情報に付随するヘッダ部に格納されて当該ボイスメール情報の着信時間に関する着信時間情報と、を有する。
【０１５６】
入出力情報には、スケジュールが入力されたスケジュール情報と、このスケジュール情報のヘッダ部の第１のヘッダに格納されてユーザーがスケジュール情報の予定実行時間を指定した場合の指定時間情報と、このスケジュール情報のヘッダ部の第２のヘッダに格納されて計時部２１に基づいてユーザーが操作入力した操作入力時間情報と、がセットで入出力情報として記憶部２２内のデータ管理部２２０に格納される。また、入出力情報が音声情報である場合には、音声入力情報は、ボイスメモが入力されたボイスメモ情報と、このボイスメモ情報のヘッダ部に格納されてユーザーがボイスメモ情報を入力した入力時間情報と、を有する。
【０１５７】
ＵＩ処理部２４０には、データ処理部２３０で処理されるデータ本体に付随する添付データ例えばヘッダ部の着信時間情報、ファイルサイズ、ファイル数等の添付データの内容を解析する内容解析部２４２と、計時部２１からの時間情報や操作部２４からの操作入力に基づいて表示画面を更新するための更新処理部２４４と、背景画面を生成するための背景画面用キャラクタデータ制御部２５０Ａ、アイコン情報を生成するためのアイコン用キャラクタデータ制御部２５０Ｂ、文字情報を生成するためのフォントデータ制御部２５０Ｃ、各データ制御部２５０Ａ〜２５０Ｃからのいずれかのデータを合成する状態保持部を含む画像合成部２５２と、を有する。
【０１５８】
内容解析部２４２は、ヘッダ部の複数のヘッダ１、２、・・・の内容を解析するヘッダ解析部２４２Ａ、ファイルサイズの内容を解析するファイルサイズ解析部２４２Ｂ、ファイル数を解析するファイル数解析部２４２Ｃ、・・・等の各種データの解析機能を有している。また、ヘッダ解析部２４２Ａも、例えばヘッダ部に着信時間情報が格納している場合には、着信時間用のヘッダ解析部として機能し、例えばヘッダ部に指定時間情報が格納している場合には、指定時間用のヘッダ解析部として機能する。
【０１５９】
メタファ環境生成手段としての背景画面用キャラクタデータ制御部２２２Ａは、操作入力制御部２８０からの制御信号に基づいて、データ処理部２３０の実行結果を受け取り、ユーザーが日常生活で知覚できる現実世界の景色や事象を模擬したメタファ（キャラクタデータ）を用いた背景画面を形成して表示部２３に出力する。
【０１６０】
アイコン表示用キャラクタデータ制御部２２２Ｂは、内容解析部２４２の出力である解析結果を受け取り、記憶部２２からのデータ（予め用意した機能群から対応する機能を選択したデータ）に従って表示画面等の動作状態の変更を画像合成部２５２に指示する。例えばヘッダ部に着信時間情報が格納されている場合には、ヘッダ解析部２４２Ａでの解析結果（着信時間の比較）に基づいて、データ格納部２２２のアイコン用キャラクタデータ格納部２２２Ｂ内のアイコン表示用キャラクタデータを、表示部２３上の表示画面上に着信順に表示処理するためのアイコン表示用キャラクタデータ制御部として機能する。また、ヘッダ部に指定時間情報が格納されている場合には、ヘッダ解析部２４２Ａでの解析結果（指定時間の比較）に基づいて、データ格納部２２２のアイコン用キャラクタデータ格納部２２２Ｂ内のアイコン表示用キャラクタデータを、表示部２３上の表示画面上に予定時間順に表示処理するためのアイコン表示用キャラクタデータ制御部として機能する。
【０１６１】
このように、例えば電子メール情報の中には、データ本体であるテキストデータと、この電子メール情報のヘッダ部に格納されて、テキストデータに付随する添付データと、を有する。この添付データとしては、例えば着信時間、ファイルサイズ等が挙げられる。そして、内容解析部２４２は、添付データの有無の判断を行なうと共に、添付データ例えば着信時間等の摘出を行なう。このため、ヘッダ解析部２４２Ａ（着信時間）、ファイルサイズ解析部２４２Ｂ（データ量）の機能部では、添付データもヘッダ部にファイル名が入っているので、拡張子例えばＴＸＴ、ＧＲＰグラフィック、Ｅｘｌｓ等の特徴的な拡張子により判断する。
【０１６２】
このようにして、情報を摘出して、例えば緊急度を示す着信時間に基づいて、アイコン用キャラクタデータ制御部２２２Ｂは、対応するキャラクタデータを引き出して、オブジェクトに反映させる。
【０１６３】
画像合成部２５２内には、状態保持部が設けられ、現在の動作状態を保持し、その動作状態を表示制御部２６０を介して表示部２３に出力する。
【０１６４】
記憶部２２は、データ処理部２３０で処理されたデータを格納しておくデータ管理部２２０と、ＵＩ処理部２４０で処理されるデータを格納しておくデータ格納部２２２と、を有する。
【０１６５】
データ管理部２２０は、住所録等を処理するデータを管理するメールデータ格納部２２０Ａと、メモのデータを管理するメモデータ格納部２２０Ｂと、ボイスメモのデータを管理するボイスメモデータ格納部２２０Ｃ、・・・・等の各層がある。
【０１６６】
データ格納部２２２は、複数種類の背景画面用キャラクタデータ（時間軸、空のメタファ等）を格納しておく背景画面用キャラクタ格納部２２２Ａと、複数種類のアイコン情報のアイコン用キャラクタデータを格納しておく背景画面用キャラクタ格納部２２２Ｂと、複数種類のフォントデータを格納しておくフォントデータ格納部２２２Ｃと、を有する。背景画面用キャラクタ格納部２２２Ａには、例えば空のメタファにおける空の景色や外観のように、適用したメタファの表示イメージが格納される。
【０１６７】
また、記憶部２２のデータ格納部２２２には、背景画面用キャラクタデータ、アイコン用キャラクタデータ、フォントデータの他、メタファルール蓄積部が設けられ、メタファルール蓄積部は、例えば操作環境を表す空の景色を表すキャラクタで構成した空のメタファにおけるキャラクタの移動範囲や表示方法のように、適用したメタファの取り決め事項を記述したメタファルールを蓄積する。
【０１６８】
操作入力制御部２８０には、操作部２４からの操作入力に基づいて、音声入力部２７からの音声入力情報をデータ処理部２３０に対して送信制御する音声入力制御手段としての音声入力制御部２８０Ａ、複数の操作ボタン２４Ａ・２４Ｂ・２４Ｃ・・・と表示部２３上のアイコン情報、カーソル等との対応関係を制御するキー入力割当制御部２８０Ｂと、入力される音声入力情報以外の入力情報例えば手書き文字入力等の入力情報を、表示部２３上のフォントと対応させるためのデータ入力制御部２８０Ｃと、表示画面の階層（上位メニュー⇔下位メニュー）の切換、各階層を択一的に表示するように制御する階層制御部としての画面階層制御部２８０Ｄ、表示画面の各種モードの切換を制御するモード切換制御部２８０Ｅ、表示画面の全体及び特定領域の拡大縮小を制御する（時間軸上の単位時間間隔を拡大縮小可能に可変したり、時間軸の拡大縮小に連動して、アイコン情報の大きさを拡大縮小可能に可変する）拡大縮小制御部２８０Ｆと、表示画面のスクロールを制御するスクロール制御部２８０Ｇ、表示画面のアイコン情報の移動等を制御するアイコン移動制御部２８０Ｈ、・・・等の各種操作に応じた制御部が形成される。尚、モード切換制御部２８０Ｅは、例えば操作部の操作入力に基づいて、各背景表示エリアが表示される第１のモードと、各背景表示エリアのうちいずれか一つの背景表示エリアのみ拡大表示される第２のモードと、のいずれかのモードを切換制御するモード制御部として機能する。
【０１６９】
操作入力制御部２８０は、例えば、データ入力制御部２８０Ｃ等が機能する場合は、操作入力時に、表示部２３に対応する入力座標位置を検出し、表示画面の状態に応じて座標位置をデータとしてＵＩ処理部２４０に出力する機能をも有する。
【０１７０】
表示制御部２６０は、画像合成部２５２から現在の状態を受け取り、必要な表示イメージを読み出して表示画面を形成し、表示部２３に出力する。
【０１７１】
このようにして、上述のデータ管理部２２０を第１の記憶手段とし、各種データ格納部２２２を第２の記憶手段としている。
【０１７２】
データ管理部２２０は、属性の異なる複数種類の情報例えばメールデータ（通信情報）、メモデータ（入出力情報）等がメールデータ格納部２２０Ａ、メモデータ格納部２２０Ｂ、ボイスメモデータ格納部２２０Ｃ等各属性毎に分類格納されている。各格納部には、表示データ以外に、複数種類の情報の種類を識別するための複数の属性情報が、例えばメールデータを示すファイル専用の拡張子、メモデータを示すファイル専用の拡張子、ボイスメモデータを示すファイル専用の拡張子、等の各種形式で格納される。また、これらの表示データには、複数種類の情報に関連する複数の時間情報が付随することとなる。この時間情報としては、上述の計時部２１で計時されるものの他、通信部を介して転送されてくる転送時間情報も含まれる。
【０１７３】
ここで、複数種類の情報としては、属性の異なる第１〜第Ｎの情報、例えば通信情報（電子メール情報・ボイスメール情報）、入出力情報（スケジュール情報・メモ情報・ボイスメモ情報）等が挙げられる。ここにおいて、「属性情報」とは、複数種類の情報例えば電子メール用ファイル、メモ用ファイル、スケジュール用ファイル、ボイスメモ用ファイル等の種類を識別するための情報である。この「属性情報」の一例として、例えばファイルシステムにおけるファイル形式を識別する拡張子等が挙げられるが、本例では、これらに限定されるものではない。
【０１７４】
各種データ格納部２２２のアイコン用キャラクタ格納部２２２Ｂには、複数の属性情報に各々対応した複数種類のアイコン情報が格納されている。また、背景画面用キャラクタ格納部２２２Ａには、時間軸を表示するための時間軸表示データ、時間軸表示エリアを背景表示するための背景表示データ、時間軸表示エリアの背景を着色表示する背景画面着色データ、アイコン情報の時間軸と対応する時間領域を着色表示する時間軸着色データ、第１〜第Ｎの情報に対応するアイコン情報を各々表示する第１〜第Ｎの表示エリアを表示するための第１〜第Ｎの背景画面用キャラクタデータ、等が記憶される。
【０１７５】
なお、時間軸表示データは、時単位で区分されて表示される第１の階層を表示する第１の階層表示用時間軸データと、日単位で区分されて表示される第２の階層を表示する第２の階層表示用時間軸データと、週単位で区分されて表示される第３の階層を表示する第３の階層表示用時間軸データと、月単位で区分されて表示される第４の階層を表示する第４の階層表示用時間軸データと、を有する。
【０１７６】
従って、制御手段２１０は、属性情報に基づいて、複数種類の情報の属性に各々対応するアイコン情報を選択し、複数種類の情報に関連する時間情報に基づいて、選択されたアイコン情報を時間軸上の対応時間に各々配列されるように表示画面上の表示を制御する。また、背景画面制御部としての背景画面用キャラクタデータ制御部２５０Ａ、画像合成部２５２により背景画面生成部を形成している。
【０１７７】
また、第１〜第Ｎの背景画面用キャラクタデータとしては、例えば通信情報に対応するアイコン情報を表示する第１の表示エリア、スケジュール情報に対応する前記アイコン情報を表示する第２の表示エリア、第１、第２の各表示エリアにて享受される前記複数種類の情報を検索するためのアイコン情報を配列表示する第３の表示エリア、を各々表示するための第１〜第３の背景画面用キャラクタデータ、入出力情報に対応するアイコン情報を表示する第４の表示エリアを表示するための第４の背景画面用キャラクタデータ、等が挙げられる。
【０１７８】
尚、電子メール情報の内容に応じて各機能（仕事用、新しいもの、プライベート用等）を分類識別するための識別情報は、通信情報に含まれて、転送自在に形成しても良いし、記憶部に格納してあっても良い。
【０１７９】
また、記憶部のデータ管理部２２０には、第１〜第３の各背景画面用キャラクタデータに基づいて、第１〜第３の各背景表示エリアを前記表示画面上に各エリア毎に生成し、各エリア毎にアイコン情報を表示制御するための情報、複数種類の情報をアルファベットを基準として検索するための検索用選択文字情報を配列表示するデータベース表示情報、複数種類の情報を、アルファベットの少なくとも頭文字を検索語として検索するための検索プログラム情報、操作手段の操作入力により検索用選択文字情報を用いて検索語を指定し、検索プログラムにより複数種類の情報を検索を行い、検索結果情報を出力するための情報、等も格納されている。
【０１８０】
複数種類の情報が、通信部２５を介して送受信される電子メール情報である場合には、電子メール情報のヘッダ部には着信時間に関する着信時間情報を有する。従って、制御手段２１０は、着信時間情報に基づいて、アイコン情報を表示画面上に着信順に表示処理する。
【０１８１】
複数種類の情報は、操作入力されるメモ情報である場合には、メモ情報のヘッダ部には操作入力された入力時間情報を有する。従って、制御手段２１０は、入力時間情報に基づいて、アイコン情報を表示画面上に作成順に表示処理する。
【０１８２】
複数種類の情報が、ｔｏｄｏリストである場合には、ヘッダ部にはユーザーが予定実行時間を指定した指定時間情報を有する。従って、制御手段２１０は、指定時間情報に基づいて、アイコン情報を表示画面上に予定時間順に表示処理する。
【０１８３】
複数種類の情報が、送受信される音声通信情報（ボイスメール情報）である場合には、ヘッダ部にはボイスメール情報のサイズに関する音声サイズ情報を有する。複数種類の情報が、予定が音声入力された音声入力情報（ボイスメモ情報）である場合には、ヘッダ部には音声入力情報の予定実行時間を指定した指定時間情報を有する。この他、ヘッダ部には、種々の情報を格納しても良い。
【０１８４】
このように、本発明の表示装置は、第１の記憶手段、第２の記憶手段、表示手段、制御手段を有する。
【０１８５】
（メニュー画面の表示処理）
本例の表示画面の一例を示す図８Ａを参照すると、例えば背景画面は空のメタファとして表現され、背景画面の中のオブジェクトは、アプリケーションプログラムの起動を指示するための伝書鳩アイコン７３Ａで構成される。ここで、内容解析部２４２は、電子メール情報のヘッダ部に添付データとして添付されている情報例えば着信時間、ファイルサイズ等の内容を解析する。そして、キャラクタデータ制御部２５０は、この着信時間、ファイルサイズ等に基づいて、緊急度を示す着信順、ファイルサイズにより異なる形状、等のアイコン表示処理を行なう。
【０１８６】
ユーザは、操作部２４で選択（ポインティング操作）することにより、これらのオブジェクトを操作可能である。
【０１８７】
伝書鳩アイコン７３Ａを選択した場合には、対応するアプリケーション（電子メール関連プログラム）が起動され、アプリケーションの表示ウインドウ（下位メニュー、下位の指示画面）が表示される。
【０１８８】
即ち、先ず、表示部２３に示されているような操作世界（空のメタファ画面）が表示されている状態で、ユーザーが伝書鳩アイコン７３Ａを選択すると、操作入力制御部２８０により表示部２３に対応する入力座標が検出され、現在の画面の状態（入力位置に伝書鳩アイコン７３Ａが表示されていること）から対応するデータ（アプリケーションの起動要求）が生成される。データ処理部２３０は、このデータをキャラクタデータ制御部２５０を介して受け取り、アプリケーションプログラム（電子メール関連プログラム）から対応する処理を選択的に実行し、実行結果（アプリケーションの起動完了等）を出力する。
【０１８９】
キャラクタデータ制御部２５０は、データ処理部２３０からこの実行結果を受け取り、メタファルール蓄積部等に蓄積されているルール（アプリケーション起動に関するルール）を得て対応する画面表示状態（フォントデータ制御部により背景画面上にフォントを合成表示する）を決定する。画像合成部２５２は、この指示によって動作状態を変更し、新しい動作状態を表示制御部２６０に出力する。表示制御部２６０は、この新しい動作状態に従って、必要な表示イメージ（アプリケーション起動画面等）を読み出して表示画面を形成し、表示部２３に出力する。このようにして、ユーザーが伝書鳩アイコン７３Ａを選択した結果としてアプリケション起動画面が表示される。
【０１９０】
アプリケーションの実行中は、カーソルにより表示画面上のリスト選択やソフトボタン等のオブジェクトを選択することで、アプリケーションへの入力を行い、以降表示画面上のオブジェクトを選択して処理の指示を行なう。アプリケーションの実行を終了すると、ウインドウが閉じ、起動前の空のメタファ画面に戻る。これにより、内容や状況の詳細が画面表示され、アプリケーションの選択や実行等の様子がユーザーに視覚的に示される。
【０１９１】
さらに、操作部２４は、受け取った新しい動作状態に従って、以降のユーザ入力の座標位置からデータ（アプリケーションの入力等）を生成する。このデータは、同様に、データ処理部２３０が受け取り、アプリケーション実行中の入力データとして処理される。その結果は、フォントデータ制御部２５０Ｃで対応するフォントデータを呼び出し、画像合成部２５２の動作状態（表示画面等）を変更し、表示制御部２６０を介して表示部２３の表示が変更される。
【０１９２】
ユーザーがアプリケーションを終了する入力を行なうと、同様にして画像合成部２５２の動作状態が変更され、ウインドウが閉じ、空のメタファ画面（メイン画面）に戻る。表示制御部２６０は、画像合成部２５２の変更された動作状態を受け取り、キャラクタを表示変更（イメージ変更や移動等）して表示部２３に出力する。このように操作して、その実行状態を視覚的にユーザーに示す。
【０１９３】
このように、空のメタファによって統一された操作世界を提供することにより、アプリケーションの実行内容が視覚的に理解し易く、ユーザーが日常得られる知識だけで表示内容や動作が容易に理解できる。
【０１９４】
また、一例として、図８Ｃに示すような、ポストイット８４にメッセージを入れる表示をするには、予め他の機器例えばメモタブレットでインクデータにて書き込み、テキストファイルとして保存する。このテキストファイルを、携帯機器２に転送し、通信部２５を介してデータ処理部２３０を用いて記憶部２２に保存する。そして、ＵＩ処理部２４０を用いて背景画面用キャラクタデータ制御部２５０Ａによりポストイット表示エリア８４を生成し、フォントデータ格納部２２２Ａによりテキストデータに対応するフォントデータをポストイット表示エリア８４上に合成表示すれば良い。ここで、タブレットで描いたものは、例えばＢＭＤ（ビットマップデータ）の形式で記憶される。尚、線の情報でもっていて、細密化するものでも良い。
【０１９５】
さらに、一例として、スクロール処理を行う場合は、通常は操作部２４に基づいて、スクロール制御部２８０Ｇが更新処理部２４４を更新させることで、順次表示部２３の表示画面を書き換えていく処理が行われる。但し、背景画面自体を動かさずに、現時刻を例えば１時間先に読み直して、時間データのみを変えて再度表示させるような処理を行なうことが好ましい。即ち、一端、全部画面をフラッシュして、背景画面を表示する。次に１時間先のデータを生成して、各種キャラクタを合成していく。一方向へ画面上で動かして、更新処理部２４４による更新処理を繰り返す。但し、移動した不足分の新たな表示領域のみを生成するような構成にすることが好ましい。即ち、スクロール前後で共通する表示画面は、状態を保持しておき、スクロール後では、状態保持された画面を再表示し、新たに追加すべき表示領域だけをもう１度書くという表示アルゴリズムを予め用意しておけば良い。
【０１９６】
また、スケジュールの予定のある時間の背景画面の色を変える表示処理を行なう場合には、期間の開始時刻と終了時刻とを解析する必要がある。即ち、スタート時間とエンド時間を付随データとしてデータ本体に持たせておく。また、スタート時間と予定時間とを組合せて付随データとして持たせても良い。そして、メールでは、重要度以外に、出席者等の諸々のデータを複数ヘッダとして持ってるため、タイトルと時間が同時に表示できる。これにより、スケジュールの詰まり具合が読みとれる。
【０１９７】
さらに、拡大縮小処理を行なう場合には、拡大縮小制御部２８０Ｆ及び更新処理部２４４に基づき、拡大又は縮小した各キャラクタパターンを複数用意し、操作部の操作状況に応じて一つ、一つ更新していく。
【０１９８】
ここで、電源投入により表示される初期画面、メイン画面の表示処理に関して、メニューを表示するための各種データテーブルを図１６〜図１７を用いて説明する。
【０１９９】
図１６Ｂは、メニューデータテーブル（Table２ ）であり、該テーブルは、各メニューデータを識別するメニュー名称データ、メニューを表示する際の形式を示すメニュー形式データ、メニューの背景として使用する図１７Ａの背景画面用キャラクタデータが格納されているアドレスを差し示す背景画面用キャラクタデータポインタＢＩ１〜ＢＩ７、・・・、各アイコンの配置位置を画面上のＸ座標とＹ座標で示した配置位置データとで構成される。尚、次の階層に位置するメニューを示す次階層メニュー番号データ、該メニューで提供するアイコンを表すアイコン番号データをも格納することが好ましい。
【０２００】
このメニューデータテーブルにより定義されているメニューは、メイン画面と該メニューの次階層の各モードである。本例のスケジューラの持つ機能と対応したアイコンを、デスクメニュー上に表示する。
【０２０１】
また、図１６Ａは、アイコンデータを複数保持したアイコンデータテーブル（Table１ ）であり、該テーブルは各アイコンデータを識別し、各アイコンに対応する機能の名称である機能名称データと、図１７Ｂの各アイコンのキャラクタデータが格納されているアドレスを指し示すポインタであるキャラクタデータポインタＤＩ１〜ＤＩ１１、・・・、と、各アイコンに対応する機能を定義した図１４の機能プログラムＦ１〜Ｆ９が格納されているアドレスを指し示すポインタである機能プログラムポインタとで構成される。
【０２０２】
以上がメニューを表示するための各種データテーブルである。次に、表示処理について簡単に説明する。
【０２０３】
メニューデータテーブル（Table２ ［図１６Ｂ］）により、表示するメニューのメニュー形式を参照し、全画面であった場合には、背景画面用キャラクタデータポインタＢＩ１〜ＢＩ７、・・・、の指し示す背景画面用キャラクタデータ（図１７Ａ）を画面全体に表示する。尚、ポップアップ形式であった場合には、ポップアップウインドウのウインドウ枠を表示し、同様に上記ポインタの指し示す背景画面用キャラクタデータを該ウインドウ内に表示する。次に、メニューデータテーブル（Table２ ）の合成されるべきアイコン及びアイコン配置位置データを参照し、アイコンデータテーブル（Table１ ）の中の、上記アイコンに対応するアイコンデータのキャラクタデータポインタＤＩ１〜ＤＩ１１、・・・、の指し示すキャラクタデータ（図１７Ｂ）を参照し、表示するアイコンを組立、上記組み立てたアイコンをメニューデータテーブルの配置位置データ（Ｘ１、Ｙ１）、・・・、に従って、画面に配置して表示する。
【０２０４】
アイコン選択があった場合は、当該アイコンの機能プログラムポインタＦ１〜Ｆ８、・・を参照し、対応する機能プログラム（図１４のＦ１〜Ｆ９）を起動する。
【０２０５】
（メール処理部）
データ処理部２３０内のメール処理部２３０Ａ内には、図示しないのメール入出力手段、メール送受信制御手段、宛先リスト管理手段等が内在されている。メール入出力手段は、新規にメールを作成するためのメール作成処理部、メールを送信するための送信操作処理部、メールの宛先リストを変更するためのメール編集処理部を有する。メール送受信制御手段は、メールを宛先リストに従って送信するメール送信処理部と、メールを受信したことを受信者に通知するメール受信処理部を有する。宛先リスト管理手段は、宛先リストを初期化する宛先リスト初期化処理部と、新規に宛先を追加する宛先リスト追加処理部と、宛先を削除する宛先リスト削除処理部を有する。
【０２０６】
尚、ＰＣ側では、電子メールシステムにおける表示画面を図２のように構成しており、このため、表示画面ウインドウ３４には、例えば名前３４ａ、タイトル３４ｂ、会社名３４ｃ、会社の住所３４ｄ、会社の電話番号３４ｅ、会社のＦＡＸ番号３４ｆ、自宅の電話番号３４ｇ、自宅の電子メールのアドレス３４ｈ、コメント３４ｉを各々表示する各欄が設けられている。
【０２０７】
（データ構造）
ここで、上記のようなウインドウ表示を行うために、記憶部２２内のデータ管理部２２０内のメールデータ格納部２２０Ａに格納されて、プログラムで使用するデータ構造について説明する。図１４は、メールデータ格納部２２０Ａの格納されるデータの階層構造を示したものである。
【０２０８】
記憶部２２は、管理プログラムが格納されるコントロール部２２Ａ、電子メール関連プログラムＦ１を含む各種アプリケーションプログラムＦ１〜Ｆ９、上記Table１、２ を含む各種テーブル、キャラクタデータ２２２Ａ・２２２Ｂ・フォントデータ２２０Ｃを含む各種データ格納部２２２、データ管理部２２０を有する。
【０２０９】
この記憶部２２により、表示画像を生成するための情報を少なくとも格納するための本発明の情報記録媒体を構成する場合には、少なくとの図１４に示す各種情報を有していれば良い。
【０２１０】
この場合、複数種類の情報の種類を識別するための複数の属性情報、複数種類の情報に関連する複数の時間情報、等は各ヘッダ部に格納される。複数の属性情報に各々対応した複数種類のアイコン情報は、各種アイコン用キャラクタデータ２２２Ｂとして、時間軸を表示するための時間軸表示データは、背景画面用キャラクタデータ２２２Ａとして格納される。また、属性情報に基づいて、複数種類の情報の属性に各々対応するアイコン情報を選択し、複数種類の情報に関連する時間情報に基づいて、選択されたアイコン情報を時間軸上の対応時間に各々配列されるように表示画面上の表示を制御するための情報は、管理プログラム２２Ａとして格納される。
【０２１１】
データ管理部２２０には、メールデータ格納部２２０Ａ、メモデータ格納部２２０Ｂ、データベースデータ格納部２２０Ｃ、・・等を有する。
【０２１２】
メールデータ格納部２２０Ａは、複数のファイル１、２・・・により形成され、１つのファイルには、ヘッダ部２２０Ａ−１・２２０Ａ−２・２２０Ａ−３・・・・・と、メールの内容に関する実データ部２２０Ａ−１５が形成される。ヘッダ部２２０Ａには、ヘッダ１（２２０Ａ−１）として着信時間、ヘッダ２（２２０Ａ−２）としてファイルサイズ、ヘッダ３（２２０Ａ−３）として名前（ＩＤ）等の情報が格納される。
【０２１３】
メールデータ格納部２２０Ａは、例えば図２に示した表示ウインドウ内に表示される各ノードに対して各々作成され、記憶部２２に格納される。詳しくは、ファイルサイズ、着信日時、名前（ＩＤ）、送信者の顔写真（又は絵文字）のビットマップデータ、顔写真の表示位置、顔写真の大きさ、開封日時、転送日時、メール表示ウインドウの表示位置、メール表示ウインドウの大きさ、メール表示ウインドウ下欄の時刻表示位置、時刻表示領域の大きさ、時刻表示文字の大きさ、メール内容の文字（フォント）の大きさ、メール内容に関する実データ（データ本体）、送信者リスト、転送先情報（住所禄、宛先アドレス等）のリスト、属性、アイコンへのポインタ、コメント等の各エントリを有して構成される。尚、本例では、実データ（データ本体）以外のこれらの付随情報を例えば上の階層からヘッダ１、ヘッダ２、・・・とし、上述したヘッダ解析部２４２Ａでは、これらの内容が解析されることとなる。
【０２１４】
この他、各種テーブルとして、（メール表示画面用）ウインドウ管理テーブル、宛先名簿管理テーブル、等を有することが好ましい。
【０２１５】
ここで、名前（ＩＤ）は、各ユーザーの識別子であり、通常、識別子にはユーザの氏名、ニックネーム等が使用される。宛先アドレスには、メールを送信するアドレスが設定される。なお、一般の電子メールにおいて、電子メールアドレスは、記憶部の格納場所を指定するための情報であり、この格納場所にアクセスして、自分宛のメールの着信状況を把握する。開封日時は、計時部２１内のリアルタイムクロックにより与えられ、受信したメールを初めて見た日時が設定される。転送日時には、受信したメールを予め設定した宛先リストに従って、メールを送信（転送や返送）した日時が設定される。属性は、データ構造体に対応するノードである受信者が、宛先リストを編集可能である否か、又は、当該受信者が不在か否かを示すフラグが設定される。表示座標及び大きさには、データ構造体に対応するノードに示す文字列、アイコン等を表示する表示ウインドウ内の座標、文字列、アイコン等の大きさが設定される。アイコンへのポインタには、表示ウインドウ内に表示するデータ構造体に対応するノードを示すアイコンのイメージ（画像情報、キャラクタデータ）が格納されている領域へのポインタが設定される。コメントには、入力したコメントが設定される。尚、これらのエントリの数を可変に形成しても良い。
【０２１６】
ウインドウ管理テーブルは、各ウインドウ群を表示画面上に表示するためのデータセットの集まりであり、記憶部に格納される。ウインドウ管理テーブルには、ウインドウ名、ウインドウの座標、ピクセル数で設定されるウインドウの横幅及び高さの各項目を有し、例えばメッセージ表示ウインドウ、住所録表示インドウ等の各項目に対応したデータセットの集まりで構成される。
【０２１７】
また、メールデータ格納部２２０Ａには、宛先名簿管理テーブルを有する。宛先名簿管理テーブルは、登録全ユーザーの各種情報を保持するものであり、保持された各種情報は、一覧形式でウインドウに表示される。このテーブルには、名前、宛先アドレス等の各項目を有し、登録各ユーザーの上記各項目に対応したデータセットの集まりで構成される。
【０２１８】
（携帯機器の動作）
図１８には、携帯機器の動作フローチャートが示されている。先ず、携帯機器の電源をオンし、その立ち上げを行うとＣＰＵは記憶部内に記憶されたブートプログラムに従い、通信部を介してＰＣにアクセスし、記憶部に記憶された端末用ＯＳ、プロトコル、その他必要なデータを読み出す。
【０２１９】
次に、携帯機器２は、表示部２３上に、例えば図６に示すような初期画面として表示する。次にメイン画面に移ると、アイコンは、データに基づき、アイコン用の機能が割り付けられ、表示エリア内にキャラクタとして表示される。これにより、ユーザは、各機能を視覚的に瞬時に判断でき、より使いやすい携帯機器を実現できる。なお、本例において、表示されるキャラクタは、静止画として表示してもよいが、必要に応じて動画として表示してもよい。
【０２２０】
電源のＯＮにより、まず初期画面が表示され（ステップ「以下Ｓ」１）、操作部により操作することで（Ｓ２）、メイン画面が表示される（Ｓ３）。このメイン画面の表示は、図１２に示す第１の表示設定部２１０Ａからの表示情報に基づいて行われる。すなわち、図２に示すＣＰＵ２８は、記憶部２２内に記憶されたメイン画面に対応する表示情報を呼び出し、この情報を表示部２３に転送し表示する。
【０２２１】
このメイン画面は図７の通りであり、３分割に表示されたいずれか１つの上位メニューの選択が可能となる。
【０２２２】
ここにおいて、メイン画面を表示するＳ３では、より詳細には図２０Ａ、図２０Ｂに示すフローチャートのような処理が行われる。先ず、何らかの操作をした時には、画面を更新しなければならない状態が発生する。すると、メイン画面の更新の有無を判断し（Ｓ３０）、画面を更新するための背景画面の背景表示処理を行なう（Ｓ３２）。この背景表示処理は、メイン画面を生成するための背景表示処理であるから、例えば図１７Ａに示す背景画面用キャラクタデータＢＩ１〜ＢＩ７、・・・を特定位置に貼り付けるようにして、表示制御を行なう。
【０２２３】
次に、メールあるか？という指令（Ｓ３３）に対して‘ＹＥＳ’であれば、表示画面上に図８Ａに示すようなウインドウを表示し、情報の告知を行なう（Ｓ３４）。この情報告知は、メールが携帯機器に着信した時のみ行われるので
、先ずＳ３４ａで、最初（１回目）の表示がどうかを判断し（Ｓ３４ａ）、メールの発信者の顔写真やトピックを一時的に表示すると共に、所定の期間例えば１秒間表示を行なうと、自動的に表示を消す処理を行なう（Ｓ３４ｂ）。
【０２２４】
次に、メールの内容解析を行なう（Ｓ３５）。ここでは、通信により送られてくるメールそのものの内容であるデータを処理する（Ｓ３５ａ）。例えば先ず、当該データを記憶部２２内のデータ管理部２２０のメールデータ格納部２２０Ａに記憶させる。さらに、データが送信されてくる際には、図１５に示す電磁信号のように、その先頭には複数のヘッダ部（２２０Ａ−１・・・・２２０Ａ−Ｎ）があるため、このヘッダ部（２２０Ａ−１・・・・２２０Ａ−Ｎ）に格納された各種情報（例えば、メールの発信者名、着信日時等）をヘッダ解析部２４２Ａが読み取る。ファイルサイズもこれに付随してくる情報であるので、ファイルサイズの解析を行なう（Ｓ３５ｃ）。
【０２２５】
この他、詳述しないが、メールの発信者名等をヘッダ部の解析により、解析される。
【０２２６】
このようにして、図１３に示す背景画面用キャラクタ制御部、アイコン用キャラクタ制御部により各々対応するキャラクタを、記憶部に格納されているビットマップイメージより成る複数のキャラクタの中から、鳩アイコンのビットマップイメージを選択し、例えば鳩アイコンを背景画面上に合成表示する（Ｓ３６）。
【０２２７】
その後、他にメールがあるかを判断し（Ｓ３７）、メールがある場合には、Ｓ３４〜Ｓ３６を繰り返し、メールがない場合は、更新があるまで待機状態となる（Ｓ３０、３１の繰り返し）。プログラムは、キー入力が発生するまで待機する。このようなステップをメールに対してなくなるまで繰り返すと、背景画面上に、鳩アイコンが並列配置される。
【０２２８】
尚、Ｓ３５において、例えば緊急度の高低を、例えば着信時間の早遅で定義し、しかも、緊急度の高い場合には、赤い鳩のアイコンを、低い場合には、通常の鳩アイコンを貼付すると決めておけば、ヘッダ解析部では、現在時刻より前のある一定の時間を基準に前の場合は緊急度低、後の場合は緊急度高としておき、この解析に基づいて、Ｓ３６でキャラクタデータ制御部により、所望のキャラクタのアイコンが表示画面上に合成されることになる。
【０２２９】
また、ヘッダ部には、電子メールの書かれた時間等の情報が保存されているので、これらの情報に基づいて、時間軸上の所望位置に時間順に鳩アイコンを貼付できる。
【０２３０】
上記メールの場合同様、メモの場合も、メイン画面の更新の有無を判断し（Ｓ４１）、背景画面の表示処理を行う（Ｓ４２）。
【０２３１】
次に、メモがある？という指令（Ｓ４３）に対して‘ＹＥＳ’であれば、表示画面上に図１に示すようなポストイットウインドウを表示する（Ｓ４４）。
【０２３２】
尚、Ｓ４３で、‘メモにはどんなメモがありますか’というのを呼ぶ判断ブロックを含めても良い。
【０２３３】
そして、上記Ｓ３５同様の内容解析を行う（Ｓ４５）。即ち、ヘッダ部には、メモの書かれた時間等の情報が保存されているので、これらの情報に基づいて、時間軸上の所望位置にポストイットを貼付できる。また、データに、テキストデータが入っているとすると、本文をもらい、フォントデータ制御部は、フォントデータ格納部とデータ処理部とに基づいて、対応するフォントデータを抽出して、画像合成部に出力する。そうすると、フォントデータ格納部には、１２３４、ＡＢＣＤＥというフォントデータがあるので、そこから一つずつ持ってきてポストイット上に貼っていくことで、文字情報が出力する（Ｓ４６）。尚、フォントデータ格納部には、明朝体やゴシック体に限らず、手書文字の雰囲気を醸し出す種々のフォントデータが格納されている。
【０２３４】
その後、他にメモがあるかを判断し（Ｓ４７）、メモがある場合には、Ｓ４４〜Ｓ４６を繰り返し、メモがない場合は、更新があるまで待機状態となる（Ｓ４０、４１の繰り返し）。このようなステップをメモに対してなくなるまで繰り返すと、例えば図１のように背景画面上に、ポストイットが並列配置される。
【０２３５】
尚、メモ用のアイコンや、スケジュールアイコン、ボイスメモ等の各種の異なる種類の情報に関する各種のアイコンを表示画面上に表示する場合にも同様の手法により合成表示されるので、それらの詳細な説明は省略する。
【０２３６】
さらに、アイコン用キャラクタデータ制御部が、ファイルサイズの解析により、ファイルサイズがある一定サイズ以上のものは花びらの数の多い花アイコンを選択し、一定サイズ以下のものは花びらの数の少ない花アイコンを選択するように制御することで、花びらの多いアイコンと花びらの少ないアイコンがそれぞれ表示画面上に合成表示されることとなる。
【０２３７】
また、上記Ｓ３２、Ｓ４４の背景表示処理において、本例では、メイン画面上に時間軸が表示されているので、この時間軸を生成するためのフローを、図２４Ａのフローチャートを用いて説明する。
【０２３８】
操作部の操作によるスクロールや拡大縮小表示、モード切換等の更新がある場合（Ｓ５０）には、表示画面上に表示される標準サイズでの表示領域（表示スケール）を確定し（Ｓ５１）、当該スケールにて時間軸を背景画面上に合成表示する（Ｓ５２）。次いで、現在時刻を確認し（Ｓ５３）、表示スケールと現在時刻に基づいて、時間軸の表示画面上の一端及び他端に表示される時刻、及び現在時刻を示す矢印の表示位置を決定する（Ｓ５４）。その後、現在時刻よりも過去の背景画面を着色表示する（Ｓ５５）。尚、計時部により、現在時刻は順次進行していくので、現在時刻との整合をとるために、計時部での時刻経過に伴い絶えず時間軸の表示の更新処理が行われることは言うまでもない。これにより、時間経過に伴い、時間軸及び複数種類の情報が表示画面上を順次移動するようにユーザーに視覚的に見えることとなる。
【０２３９】
さらに、本例の時間軸は、単位時刻毎の格子状の複数の升目が連接して形成され、予定が入っている時間軸の升目は、背景画面が着色表示されている。この場合も、図２１Ｂに示すように、Ｓ３２、Ｓ４４の背景表示処理において、時間軸上の対応時刻にキャラクタを合成表示し（Ｓ６０）、その後前記升目、予定有無エリア、の対応するエリアを着色表示すれば良い（Ｓ６１）。
【０２４０】
次に、図１８に戻り、このようにして、メイン画面が表示されると、操作部の操作により画面を元に戻す場合には、初期画面に戻り（Ｓ４）、ない場合には、他の操作があるまで待機状態となる。
【０２４１】
操作部により、モード変更操作がある場合には（Ｓ６）、図１３に示すモード切換制御部２８０Ｅにより、各モードでの背景画面の表示が行われる（Ｓ７）。このモード変更操作は、操作部（スライダ）を上下に操作することで行う。ここにおいては、メイン画面の表示処理（Ｓ３）とは、背景画面用のキャラクタが異なるだけで、その他アイコン、時間軸等の合成表示処理は、上記Ｓ２（より詳細には図２０Ａ・図２０ＢのＳ３０〜Ｓ３７、Ｓ４０〜Ｓ４７）とほぼ同一であるので、その詳細な説明は省略する。
【０２４２】
同様に、操作部の操作により画面を元に戻す場合には、メイン画面に戻り（Ｓ８）、ない場合には、他の操作があるまで待機状態となる。
【０２４３】
操作部により、スクロール操作がある場合には（Ｓ１０）、図１３に示すスクロール制御部２３０Ｇにより、スクロール後の背景画面の表示が行われる（Ｓ１１）。このスクロール操作は、操作部を操作することで、画面上にてカーソルを移動させることで行う。ここでも、メイン画面の表示処理（Ｓ３）とは、背景画面用のキャラクタが異なるだけで、その他アイコン、時間軸等の合成表示処理は、上記Ｓ２（より詳細には図２０Ａ・図２０ＢのＳ３０〜Ｓ３７、Ｓ４０〜Ｓ４７）とほぼ同一であるので、その詳細な説明は省略する。
【０２４４】
同様に、操作部の操作により画面を元に戻す場合には、各モードの画面に戻り（Ｓ１２）、ない場合には、他の操作があるまで待機状態となる。
【０２４５】
操作部により、拡大又は縮小の操作がある場合には（Ｓ１４）、図１３に示す拡大縮小制御部２８０Ｆにより、拡大又は縮小後の背景画面の表示が行われる（Ｓ１５）。ズーミング等は、指定された操作部を操作することにより実現可能である。ここでも、メイン画面の表示処理（Ｓ２）とは、背景画面用のキャラクタ、各アイコン用のキャラクタのサイズが異なるだけで、その他アイコン、時間軸等の合成表示処理は、上記Ｓ２（より詳細には図２０Ａ・図２０ＢのＳ３０〜Ｓ３７、Ｓ４０〜Ｓ４７）とほぼ同一であるので、その詳細な説明は省略する。その後、再びプログラムはキー入力が発生するまで待機し、キー入力が検出された場合、ズーミング解除のためのキー入力であるかどうかを判断する。
【０２４６】
同様に、操作部の操作により画面を元に戻す場合には、各スクロール後の画面に戻り（Ｓ１６）、ない場合には、他の操作があるまで待機状態となる。その後、他の表示変更操作がある場合には、上記各種の操作を行うこととなる（Ｓ５、Ｓ４、Ｓ１３、１７）。
【０２４７】
他の表示変更操作がない場合、Ａ処理（Ｓ１８）を行なう。このＡ処理では、図１９に示すように、先ず、各画面において、各種アイコンが表示されているため、ユーザーは所望のアイコンを選択するか否かを判断する（Ｓ１９）。
【０２４８】
ここで、アイコンの選択は、操作部を操作することで、画面上にてカーソルを移動させ、このカーソルをいずれか１つのアイコン上に位置させてクリックすることで行う。これにより、図１９のＳ１９がＹＥＳとなる。一例として操作部の操作により選択されたアイコンの情報は、第２の表示設定部２１０Ｂより第３及び第４の表示設定部２１０Ｃ・２１０Ｄに出力される。この情報入力を受けた第３の表示設定部は、選択されたアイコンにさらに複数の下位メニュー群が存在するか否かを判断する（Ｓ２０）。選択されたアイコンに複数の下位メニュー群が存在すると第３の表示設定部により判断された場合には、各モード画面上に下位メニュー群を表示する。この表示は、第３の表示設定部により各モード画面上にウインドウを開き、このウインドウ内に下位メニュー群を並列にて表示することで行う。例えば、図１０に示す上位メニュー群のアイコンのうち、ステップ１９にて「赤い鳩アイコン」が選択された場合には、このアイコンに対応する下位メニュー群すなわち「電子メール表示画面１」の表示を行うことになる（Ｓ２１）。
【０２４９】
下位メニューの選択もアイコンの選択と同様に、操作部を操作することで行われる。操作部の操作によりいずれか１つの下位メニューが選択された場合には、Ｓ２３の判断がＹＥＳとなり、選択された下位メニューの情報が、第３の表示設定部より第４の表示設定部に出力され、Ｓ２４に移行することになる。なお、Ｓ２０の判断がＮＯの場合にも、同様にＳ２４に移行する。ステップＳ２０の判断がＮＯとなる場合とは、下位メニュー群が存在しないオブジェクトを選択した場合である。この場合には、第２の表示設定部からの出力に基づき、選択されたアイコンに対応する設定画面が存在することが第４の表示設定部にて判別されるので、第４の表示設定部の機能によりＳ２４以降が実施される。あるいは、第３の表示設定部により、対応する下位メニュー群が存在しない旨の情報を第４の表示設定部に向け出力してもよい。
【０２５０】
上述したＳ１９〜Ｓ２４の動作を行うことで、いずれか１つの項目が特定され、以降は第４の表示設定部の機能によりＳ２５以降の動作が実施される。この第４の表示設定部は、特定された項目に対応する設定画面を表示部上に表示する。そして、この設定画面中に表示されたカーソルを、操作部の操作に基づいて、データ入力制御部２８０Ｃにより移動およびクリック操作することで，各種の入力が行われる。操作部の操作により入力が行われるとＳ２５がＹＥＳとなり、入力された情報を設定画面に中に表示することになる（Ｓ２６）。その後、後述する動作により入力が終了した場合には、Ｓ２７がＹＥＳとなり、Ｓ３、７、１１、１５に戻ってメイン画面が再度表示される。また、この設定画面には、同一クラスに包含される他の下位メニューが表示されており、この設定画面上にて他の下位メニューが選択された場合には、Ｓ２８がＹＥＳとなってＳ２１に戻り、選択された下位メニューに対応する設定画面が表示されていることになる。Ｓ２８およびＳ２７がＮＯである場合は、Ｓ２５〜Ｓ２７を繰り返し行うことになる。
【０２５１】
これら、第１〜第４の設定部での上位メニュー、下位メニューの階層を操作部２４の操作に基づいて、画面階層制御部２８０Ｄが制御することとなる。
【０２５２】
また、アイコンを所望の位置へ移動させる場合には、操作部の操作に基づいて、アイコン移動制御部２８０Ｈを制御する。この制御に基づいて、ＵＩ処理部２４０の例えばアイコン用キャラクタデータ制御部２５０Ｂでの所望のアイコン及びアイコン貼付位置が決定されて、表示部に出力される。
【０２５３】
尚、音声入力等を行なう場合も、操作部２４に基づいて、音声入力部２７より音声入力を行なう。音声入力制御部２８０Ａにより音声情報がデータ管理部に移動される。指定の時間が来ると、操作部により音声出力制御部２７０は、記憶された音声情報を取り出し、音声出力部２６へ音声出力すると共に、表示制御部を介して表示部にも、所望の表示を行なうこととなる。
【０２５４】
また、本例では、スケジュール表示モードに含まれるカレンダー表示モードにおいては、蝶カーソルを用い、カーソルが移動している間には、蝶の羽がバタバタするように表示することとしている。これにより、背景画面がカレンダーのような複数の枡目により形成される場合でも、カーソルを視覚的に認識しやすくしている。このような表示処理を行なう一例として、例えば図２２のような処理を行なうことが好ましい。
【０２５５】
即ち、図２２において、先ず、カーソルを表示させる指示の有無を判断し（Ｓ９０）、指示がない場合には、カーソルを表示する指示があるまで待機状態となる。指示があると、キャラクタデータ制御部等により、記憶部に格納された蝶のキャラクタデータを、当該カーソルが指示する指示座標上に合成表示を行なう（Ｓ９１）。
【０２５６】
そして、蝶カーソルの移動操作の有無を判断する（Ｓ９２）。移動操作がない場合は、処理は終了し、移動操作があった場合には、Ｓ９３を行なう。Ｓ９３では、恰も蝶の羽を震わす如く表示されるよう段階的に形成された複数の蝶のキャラクタデータを一定時間毎に交互に表示させる制御を行なうと共に、図示しない乱数生成部にて生成されたランダムなカーソルの指示座標値に基づいて、蝶のキャラクタデータを移動させる制御を行なう。
【０２５７】
カーソルの移動操作の終了の有無を判断し（Ｓ９４）、カーソル移動操作が続行されている場合には、Ｓ９３を繰り返し、終了した場合には、処理を終了させる。
【０２５８】
次に、ＰＣ１又は携帯機器２の使用方法を説明する。先ず、メニュー画面が表示されている状態で、ユーザは、各種機能が割り付けられたアイコンを操作する。項目が選択されると、図１８に示すＳ６にて、図１０に示す上位メニュー群のうちの「コミュニケーションモード」が選択され、さらに、「赤い鳩アイコン」を選択すると、Ｓ１９を経てＳ２１にて「電子メール表示画面」が表示される。ユーザーは、この設定画面を見ながら操作部に基づいて、電子メールに関するデータを設定入力する。ここで、設定画面の一例を図２に示す。同図において、この設定画面３４内には、表示欄が上下に並列に表示される。
【０２５９】
操作部の操作により、カーソル（条件設定用バー）を位置設定させることにより、所望の各表示欄の位置に設定され、カーソルを移動させることで条件の変更が可能である。以下、同様に、上記の手順により、ＰＣ１又は携帯機器２のための各種入力の設定が終了する。
【０２６０】
これらの各種入力が終了したら、例えばＰＣ１では画面中のプルダウンメニュー欄の「Ｆｉｌｅ」をカーソルにて選択することで、その下位メニューを選択して例えば保存することができる。データは、自動的に画面のデータ設定項目のデータとして設定され、ＰＣ側に送信されることになる。
【０２６１】
そして、このようにして入力されたデータが、例えば携帯機器２からＰＣ１側へ送信されると、ＰＣ１は、データベースと照合し、画面を当該携帯機器の表示部上に表示する。このようにして、ユーザは、携帯機器２から各種予定の入力、閲覧を行うことが可能となる。
【０２６２】
なお、上述の例えば図１２、図１３に示すソフトウエア構成、図１４のメモリマップ等は、携帯機器に限らず、他の情報処理装置、ＰＣ、ＥＷＳ等にも適用できることは言うまでもない。
【０２６３】
［実施の形態２］
次に、本発明に係る表示装置の実施の形態２について、図２３〜図３２を用いて説明する。尚、上記実施の形態１と同様の構成については、その詳細な説明は省略する。本例では、表示画面の構成を図２３Ａ、図２３Ｂのように構成している。
【０２６４】
本例の携帯機器３００は、操作部３０１としてラグビーボール型であって楕円形状の回転入力部であるカーソルボタン３０１Ａ、タブスイッチ３０１Ｂ、オプションボタン３０１Ｃ、録音ボタン３１０Ｂを形成している。
【０２６５】
このカーソルボタン３０１Ａは、図２３Ｂの縦軸Ｙを中心としてθ方向に回転させる回転操作と、矢印Ｏ方向に押した後に矢印Ｐ方向に上昇させる押し上げ操作と、矢印Ｏ方向に押した後に矢印Ｑ方向に下降させる押し下げ操作と、の３つの操作が可能な構成としている。
【０２６６】
また、タブスイッチ３０１Ｂは、紙面と垂直な方向にて押し上げ押し下げ動作が可能なように構成されている。
【０２６７】
図２３Ａは、電源投入後の初期画面３１０（デフォルトビュー）の状態を示している。この初期画面３１０では、表示部３０２の上部領域に表示されて現在の曜日を表示する曜日表示のエリア３１０Ａと、中部領域に表示されて現在の時刻を表示する時刻表示のエリア３１０Ｂと、表示部３０２の下部領域に表示されて現在の日付を表示する日付表示のエリア３１０Ｃと、が表示できるように構成される。
【０２６８】
電源投入後に、表示部３０２には、図２３Ａに示すように、先ず初期画面３１０が表示され、操作部３０１Ｂの操作により、図２３Ｂに示すメイン画面としてのスケジュール表示モード３２０Ａが表示される。
【０２６９】
このスケジュール表示モード３２０Ａでは、表示画面最上部の日付表示エリア３３０と、所定の時間軸を表示する縦線にて形成され、カレンダーとしてのスケジュール表示エリア３４０と、前記スケジュール表示エリア３４０の時刻単位を示す時間軸表示エリア３５０Ａと、表示画面最下部のアイコン表示エリア３６０と、を有する。
【０２７０】
この日付表示エリア３３０の下端には、スケジュール表示エリア３４０上の現在時刻を表示した矢印であるブラックバー３３４が形成されており、カーソルとして機能する。
【０２７１】
そうして、このブラックバー３３４の指し示す時間軸の縦線３４４を境界に、過去を示す時間領域の背景画面を背景画面着色表示エリア３４２として例えば灰色等にて着色表示を行っている。
【０２７２】
また、スケジュール表示エリア３４０には、所望の予定時刻にスケジュールアイコン３４６を有しており、このスケジュールアイコン３４６を操作することで、下位メニューのスケジュールの閲覧ができる。
【０２７３】
また、時間軸表示エリア３５０Ａには、スケジュールアイコン３４６に対応する時間軸上の位置を着色表示する予定有無着色表示エリア３５２として形成している。図２３Ｂでは、スケジュールアイコン３４６が、９時から１２時にまで亘って形成されているので、予定有無着色表示エリア３５２においても、９時から１２時を着色表示して、時間軸上にて予定の有無を一目でわかるように形成している。このようにすることで、ユーザーは、視覚的に簡単に現在の予定を見いだすことができる。
【０２７４】
アイコン表示エリア３６０には、ボイスメモを登録したことを表すマイクアイコン３６２と、電子メールにてメッセージを受けたことを示す封筒アイコン３６４とが表示されている。これらの各アイコンを、スケジュールアイコン３４６同様に操作することで、下位メニューのボイスメモの試聴、電子メールの閲覧等ができる。
【０２７５】
タブスイッチ３０１Ｂを押すことで、スケジュール表示モード３２０Ａの時間軸を、６時間モード、１２時間モード、１週間モード、１ヶ月モードに切り換ええて、各モード毎に各々ズームイン（拡大表示）することができる。また、タブスイッチ３０１Ｂを持ち上げることで、ズームアウト（縮小表示）を行うことができる。図２３Ｂでは、６時間モードを示しており、図２６Ａでは、１２時間モード、図２６Ｂでは、１週間モードを表示している。
【０２７６】
図２７Ａにおいて、カーソルボタン３０１Ａを押し下げることで、スケジュール表示モードからメモモードに切り替わる。即ち、カーソルボタン３０１Ａの押下操作により、図２７Ｂに示すように、日付表示エリア３３０がアイコンエリア３６０にまで下方にジャンプする。そして、カーソルボタン３０１Ａを回転させることで、所望のアイコンの位置まで移動させ、マイクアイコン３６２Ａの位置にまで移動させたならば、タブスイッチ３０１Ｂを押すことで、録音した内容を音声出力部を介して聞き取ることができる。
【０２７７】
次に、この録音情報をスケジュール表示エリア３４０に組み込む場合には、図２７Ｃに示すように、タブスイッチ３０１Ｂを持上操作により、マイクアイコンを上昇させてブラックバー３３４に接触させる。そして、図２８Ａのようにカーソルボタン３０１Ａを押し上げ操作することで、図２８Ｂのように日付表示エリア３３０が上昇する。その後、カーソルボタン３０１Ａを回転させることで、図２８Ｃに示すように、所望の時刻例えばＰＭ６時にまでマイクアイコン３６２Ａを移動させる。そして、タブスイッチ３０１Ｂを押し下げることで、マイクアイコン３６２Ａがカーソルから離れ、マイクアイコン３６２Ａをスケジュール表示エリア３４０上に貼り付けて、時間軸への予定の組み込みが完了する。
【０２７８】
さらに、図２９Ａに示すように、オプションボタン３０１Ｃを１回操作することで、モードを切り換えることができ、再度押すことで、元のノーマルモード（スケジュール表示モード）に戻ることができる。
【０２７９】
本例では、図２９Ｂに示すようなデータべースモードに切り換えている。ここで、データベースモードにおいては、４つのカテゴリー「Clients」「Vendors」「Personal」「Setting」に分類されている。尚、「Setting」モードは、時刻調整や、各種の調整を行うためのモードである。
【０２８０】
カーソルボタン３０１Ａの操作により、ブラックバー（カーソル）を水平方向に移動させ、いずれかのカテゴリーを選択し、図２９Ｃに示すように、タブスイッチ３０１Ｂの操作により、「Clients」 リストを選択する。すると、図３０Ａのような画面が表示され、カーソルボタン３０１Ａを回転させることで、選択バーが水平方向に移動し、イニシャル例えばＫを選択する。
【０２８１】
すると、図３０Ｂに示すように、名前リストの横に、上下方向に移動可能な仮想的なカーソルが表示され、カーソルボタン３０１Ａの押上又は押下操作により、所望の名前を選択できる。尚、カーソルが表示部３０２の端に到達すると自動的にスクロールがなされる。
【０２８２】
そして、タブスイッチ３０１Ｂの操作により、図３０Ｃに示す名前によって与えられる情報を閲覧できる。その後、カーソルボタン３０１Ａの押上又は押下操作により、仮想的なカーソルを上下方向に移動させることで、スクロールさせ、所望の情報を探すことができる。
【０２８３】
また、電子メールを受け取ると、図２５Ｃに示すような、告知ウインドウが表示される。この告知ウインドウには、発信者の顔写真、発信者名、発信時刻を表示することができる。
【０２８４】
なお、急ぎの情報でない場合には、情報告知は行われず、自動的に封筒アイコン３６４の貼り付けが行われ、後でユーザは、当該アイコン３６４を選択することにより、内容を閲覧できる。
【０２８５】
さらに、ボイスメモを録音する場合には、録音ボタン３０１Ｄを操作することで、図３１の表示画面が表示されている期間内に録音を行うことができる。
【０２８６】
そうして、図２３Ｂのスケジュール表示モードにおいては、カーソルボタン３０１Ａの回転操作により、時間軸方向と同一方向にスクロールすることができる。これにより、腕装着型の携帯機器例えば時計等を腕に装着して操作部を操作する場合には、従来通りの操作部の構成では、表示画面の変更やカーソルの移動、画面のスクロール等の操作を行なおうとすると、腕の装着方向、操作部の大きさの観点から、画面表面上の位置指定やスクロールを良好に行えないという問題があった。これに対して本例では、スクロールの方向と同一の方向に操作部を回転可能に形成しているので、ユーザーの操作性が向上する。
【０２８７】
また、全方向への移動可能なポインタ例えばマウス、トラックポイント等では、カーソルがふらふらしてその指示がかえって不安定となる。これに対して本例では、一軸方向にのみカーソルの移動が可能であることから、移動を安定して的確に行うことができる。加えて、この一軸方向に沿って回転可能な回転操作により、当該一軸方向へのカーソルの移動を、回転する際の遠心力と慣性を利用してより安定させながらもより速く移動させることができる。これにより、回転操作を行うことで、カーソルの水平方向の的確な指示及び高速移動が可能となり、操作の実行とそれに対応する画面の反応が一義的なので、解りやすいインターフェイスが実現できる。
【０２８８】
また、本例では、表示枠外データの表示（キャッチネット・メタファ）の機能を有している。時間軸の貼り付けたメモ（或いはオブジェクト）は時間が過ぎて表示上の時間軸が移動していくのに伴い動いていく。しかし、その貼付いた位置の時間が表示の外に出ても必要なメモは表示枠外に消えることなく残る。
【０２８９】
このような場合には、例えば表示部３０２の過去を示す左端領域に亘ってキャッチネットエリアを専用に設け、そこに時間軸をはずれたデータを貼付ける。即ち、キャッチネットエリアは、時間経過に伴い表示画面上より消失するアイコン情報を、時間軸表示エリアに表示する。
【０２９０】
このキャッチネットエリアの表示処理を行なうには、図２１Ｃに示すフローチャートのように行なう。
【０２９１】
即ち、時間軸移動の更新処理と共に、キャッチネットエリアにアイコンが入ったか否かの判断を行なう（Ｓ７０）。入った場合には、キャッチネットエリアにて時間軸に関係なく、アイコンを積層等の表示を行なう（Ｓ７１）。入らない場合には、通常の時間軸に従って、アイコンの表示がなされる。そして、キャッチネットエリア内のアイコンは、スケジュールアイコンの予定発生時間からＫ時間後（予定入力時刻と現在時刻との差がＫ時間を超える場合）に、キャッチネットエリア上の表示画面から当該アイコンを削除する（Ｓ７２）。これにより、アイコンは、ある一定のＫ時間が経ったら消すことができる。
【０２９２】
図２４には、上記のような画面表示の階層構造が示されている。操作部により、データベース表示モードと、スケジュールモードとの切換が可能である。
【０２９３】
図２５Ａ〜図２５Ｃには、画面をスクロールさせると共に、ズーミングを行なった場合の表示画面を示している。このスクロール処理を行なう場合には、先ず、図３２Ａに示すように、ラグビーボール型の操作部であるカーソルボタン３０１Ａを回転させ（Ｓ１００）、処理Ａ（Ｓ１０１）によって、回転方向を決定する。
【０２９４】
即ち、Ｓ１０１の処理Ａでは、先ず、回転方向が右回転か左回転かを判断する（Ｓ１１０）。次いで、左方向に回転した場合には、左方向に回転した分の回転量例えば回転角度、回転数等を検出する（Ｓ１１１ａ）。次いで、検出した回転量に対する表示画面上でのスクロール移動量を、予め記憶部等にて用意されている回転量−スクロール移動量変換テーブル等を用いて算出する（Ｓ１１２ａ）。その後、算出されたスクロール移動量の分だけ、表示制御部にて表示画面の移動処理、即ち表示画面の更新処理を行なう（Ｓ１１３ａ）。このようにすることで、表示画面スクロール処理（Ｓ１０２）に到達できる。
【０２９５】
尚、このスクロール処理に係る表示画面の更新処理にあっては、スクロールにより横方向に移動した分Ｘが、表示画面の横方向のサイズＸ１よりも少ない場合には、更新する必要のない旧データの表示領域Ｘ１−Ｘ分は、一旦状態を保持して表示画像を残しておき、新規に表示される領域Ｘの部分のみを追加するような更新処理を行なうことが好ましい。こうすると、スクロール時の処理速度の向上等を図ることができる。
【０２９６】
また、Ｓ１１０で、右方向に回転した場合には、Ｓ１１１ｂ〜Ｓ１１３ｂに示すように、Ｓ１１１ａ〜Ｓ１１３ａ同様の処理を行なう。尚、Ｓ１１２ｂでは、回転量−スクロール移動量変換テーブルを左回転用に専用に設けているが、右回転用のものを兼用しても良い。
【０２９７】
そして、スクロール処理に関する表示処理を行う（Ｓ１０２）。その後、カーソルボタン３０１Ａの回転が停止したかを確認し（Ｓ１０３）、Ｂ処理を行なう（Ｓ１０４）。
【０２９８】
本例の操作部のカーソルボタン３０１Ａは、回転操作による表示画面のスクロール処理に加え、押上、又は押下操作による表示領域の拡大縮小処理、ブラックバー（カーソル）の上下方向での移動処理をも行なうことができる。従って、以下のＢ処理をも行なうことができる。
【０２９９】
Ｓ１０４のＢ処理では、図３２Ｃに示すように、カーソルボタン３０１Ａの押下操作、又は押上操作がある場合（Ｓ１２０）には、押上操作か押下操作のどちらの操作が行われたかを判断する（Ｓ１２１）。操作がない場合には、Ｂ処理は終了する。押上操作があった場合には、下部の表示領域を拡大する表示処理を行なう（Ｓ１２２）。押下操作があったことを検出した場合には（Ｓ１２３）、上部の表示領域を拡大する表示処理を行なう（Ｓ１２４）。そして、拡大表示を終了させる場合には、Ｂ処理を終了させ、拡大表示処理を続行する場合には、Ｓ１２１からのステップを繰り返す（Ｓ１２５）。
【０３００】
このように、実施の形態２では、表示画面上には、作成又は着信した表示データをその時点での時間軸において表示データの内容を整理管理することができる。これにより、複雑な階層構造をとらずに時間をキーとして容易に検索できる。
【０３０１】
また、データを意図的にある時間軸上に移動することで、リスト、スケジュールとして活用することができる。さらに、時間軸が時の経過と共に動いていくので、現在と対象とする事象、イベント等との相対的な時間位置関係がよくわかる。
【０３０２】
また、時間軸の表現、過去と未来とを表示色（又は白黒反転）で識別することができるので、現在の位置は、異なる表示色の境界で表現。これにより、表示の時、象限が過去、未来、現在が、一目で分かる。
【０３０３】
また、時間のスケール調整（ズーム）、時間軸の各桁（月、週、日、時間等の階層）はその階層毎にズーミングできる。時間スケールと連動した表示内容の拡大縮小ができる。ズームのスケール（５時間、１２時間、一週間のスケジュール）に合わせてデータの表示する範囲を自動的に変化させる。
【０３０４】
時間軸のスケールの拡大、縮小で各スケジュール等に付随する細かいデータは見えたり（拡大）、見えなかったり（縮小）する。縮小した場合でも、スケジューリングのボリュームだけは面積的な表示をすることにより、概略の詰まり具合がわかる。
【０３０５】
尚、上記例では、回転入力部とスクロールとの制御関係を、３回回転すると画面が数センチ分移動するというようなテーブルを用意することで達成したが、回転角検出手段をＣＰＵに接続して、回転角と横移動量との対応関係を定義した回転角−横方向移動変換テーブルを記憶部に記憶させ、ＣＰＵは回転角−横方向移動量変換制御手段として機能するよ構成しても良い。
【０３０６】
［実施の形態３］
次に、本発明に係る表示装置の実施の形態３について、図３３〜図４３を用いて説明する。尚、上記実施の形態１、２と同様の構成については、同一の符号を付し、その詳細な説明は省略する。本例では、表示画面の構成を図３６Ａ、３６Ｂのように構成している。
【０３０７】
同図において、本例の携帯機器５００は、操作部５０１として回転入力部であるリューズ５０１Ａと、リューズ５０１Ａの上方にあるズームインボタン５０１Ｂ、リューズの下方にあるズームアウトボタン５０１Ｃ、表示部の下方にあるファンクションボタン５０１Ｄ、録音ボタン５０１Ｅを形成している。
【０３０８】
リューズ５０１Ａは、図３６Ａの矢印Ｒ又はＳ方向に回転させる回転操作と、Ｔ方向で押し引き可能な押す操作と、の２つの操作が可能な構成としている。この回転操作により、カーソルの上下方向（Ｕ、Ｖ）の移動を行い、カーソルが画面の上端又は下端にくると、画面の上方向（Ｕ）又は下方向（Ｖ）へのスクロールが可能となる。
【０３０９】
ズームインボタン５０１Ｂは、スケジュール表示モード内における、５時間モード、１２時間モード、１週間モード、１ヶ月モード、１年モードへとモード切換を行なうものであり、戻る場合には、ズームアウトボタン５０１Ｃを操作する。また、ズームインボタン５０１Ｃは、アイコンの選択を行い、下位メニュー画面を表示するものである。ズームインボタン５０１Ｂとズームアウトボタン５０１Ｃを同時に押すと、いかなる画面であっても、現在の時刻を表示する１日５時間のスケジュール表示モードに戻ることができる。
【０３１０】
スケジュール表示モードの１週間モードでは、電子メールアイコン５６０、ボイスメモアイコン５５０が時間軸上に置かれているのみで、スケジュールの詳細は表示されない。従って、例えば、所望の予定が入力されたスケジュールの時間帯を探すには、先ず、図３６Ｄのように、スケジュール表示モードの１ヶ月モードで、カーソルをズームインしたい週に合わせズームインボタン５０１Ｂで拡大する。同様にして、図３６Ｃに示すように、スケジュール表示モードの１週間モードでズームインしたい日を選択して、所望の予定の箇所を探すことができる。
【０３１１】
図３３Ｂにおいて、メイン画面としてのスケジュール表示モード５１０では、左から予定日付表示エリア５１２、時間軸表示エリア５２０、スケジュール表示エリア５３０、現在時刻表示エリア５１６と、に分割される。時間軸及びスケジュールは、画面上方が未来になり、画面下方が過去を表し、境界線が現在時刻を表し、当該境界線より下方の背景画面を例えば灰色等にて着色表示する。
【０３１２】
表示部５０３の下方には、ボイスメモアイコン５５０、積層表示された電子メールアイコン５６０が形成され、表示部５０３の上方には、Ｔｏｄｏアイコン５３６Ａ〜Ｄ、スケジュール表示エリア５３０には、スケジュールアイコン５３４が形成される。
【０３１３】
Ｔｏｄｏアイコン５３６は、これからしなければならない事項であるから未来を示す画面の右上に並べて表示される。Ｔｏｄｏアイコン５３６の大きさは、各々のアイテムの重要度、緊急度を表している。これらのアイコンは、左から古い順に並べられる。
【０３１４】
この場合の表示画面の特徴として、完了しなければならない時間が近づくとアイコン情報例えば図３３Ｂに示すスケジュールアイコン５３４、ＴＯ−ＤＯリストアイコン５３６Ａ等の表示が大きくなる。また、ボイスメモアイコン５５０Ａは、録音した時間が長いと大きく表示され、ユーザーはアイコンの大きさだけで、内容を思い出すことができる。
【０３１５】
また、電子メールアイコン５６０は、重畳領域を含むように積層表示され、同種のアイコンをずらせながら下から順に上に重ねて表示することにより、多数の表示を可能にする。これにより、着信メール等の数がブロック等の積層の度合で視覚的に大まかに理解できる。尚、この積層の数は、ある一定の数を超えると多数とする。
【０３１６】
Ｔｏｄｏアイコン５３６を選択してウインドウを開くと、図３９Ａのような表示画面が表示される。リューズ５０１Ａの押し、引きで、「DONE」５３８Ａ、「NOTYET」５３８Ｂを選択し、ズームインボタン５０１Ｂで選択する。ＤＯＮＥタブ５３８Ａを選択すると、図３９Ｂのようなチェックマーク５８９が表示され、ウインドウ（ダイアログ）を爆発するように表示する手段を設け、爆発させる等の効果で、ユーザーにＴｏｄｏをやり遂げたという達成感を与える。
【０３１７】
ボイスメモアイコン５５０は、既に作成したものであることから過去を表す画面右下に並べて表示される。
【０３１８】
ズームインボタン５０１Ｂの操作により、ボイスメモアイコン５５０を選択してウインドウを開くと、図４０Ａに示すように、上方にメモを作成した（録音した）日付、時刻、録音時間を表すバーグラフが表示される。ユーザーは、これらを見ることで、再生せずにメモを思い出すきっかけにすることができる。
【０３１９】
下方には、「廃棄」５５２Ａ、「再生」５５２Ｂ、「時間軸に移動」５５２Ｃという、このメモに対する処理をアイコンで表示している。
【０３２０】
リューズ５０１Ａの押し、引きで望みのアイコンを反転させ、セレクト機能を有するズームインボタン５０１Ｂで処理を選択する。何の処理も行わない時は、キャンセル機能を有するズームアウトボタン５０１Ｃを押すことでウインドウを閉じる。
【０３２１】
「時間軸に移動」５５２Ｃを選択すると、ボイスメモアイコン５５０Ａがカーソルに捕らえられて点滅する。リューズ５０１Ａを回転させ、所望の時刻にドラッグによりアイコンを移動させ、リューズ５０１Ａを押して時間軸に貼り付ける。
【０３２２】
ここで、ズームインボタン５０１Ｂを押すとウインドウが表示され、セットする時間と日付を確認し、アラーム音の音色、ビープ音、振動等の告知手段を選択した後、ボイスメモアイコン５５０Ｃがスケジュール上に置かれる（図４０Ｂ）。
【０３２３】
尚、この告知手段は、ユーザーの状況に応じた告知を行う第１の告知部、情報の内容に応じた告知を行う第２の告知部、知らせる重要度、緊急度に応じた告知を行う第３の告知部、を有していずれかに切り換え可能としている。例えば眠っている、控えめに点滅、会議中は迷惑をかけないように音ではなく、振動によってメールの着信を知らせる、着信の音声はユーザーの名前で知らせる等。尚、この他告知手段として、音色により告知する音色変更部、音声変更部、振動発生部、におい発生部、光発生部、電気ショックを行う電気生成部等が挙げられる。
【０３２４】
ボイスメモを録音する場合には、録音ボタン５０１Ｅを押すと、図４２Ａのようなウインドウが開き、録音スタンバイになる。この状態で、ユーザーは録音を行うことができる。音声を認識すると、図４２Ｂに示すように、「RECORD」画面６２２が点滅し、録音中のインディケーションになり、録音経過時間がバーで表示される。しゃべるのをやめると、自動的に録音が終了し、次の下層メニューのウインドウ６２４が開く。
【０３２５】
このウインドウ６２４では、図４２Ｃに示すように、録音した日付、時刻、録音時間が表示され、「消去」６２６Ｃ、「再生」６２６Ｂ、「時間軸に移動」６２６Ａという処理をリューズ５０１Ａの押し引き、とズームインボタン５０１Ｂの操作により選択する。ズームアウトボタン５０１Ｃを押すと、スケジュール表示画面に戻る。
【０３２６】
デスクトップ又はノートＰＣ、サーバーへの電子メールが着信すると、本携帯機器２にもその旨の情報告知がなされる。具体的には、図４１Ａに示すように、現在時刻の位置に電子メールアイコン５６０が自動的に現れ点滅する。ズームインボタン５０１Ｂの操作により、「ＵＲＧＥＮＴ」５６１Ｂ、「Ｒ．Ｓ．Ｖ．Ｐ．」等のメールのタイプの表題を持つ下位メニューのウインドウ５６１が表示され、当該ウインドウ５６１内には、発信者の顔写真５６１Ａと、メッセージ内容の要約５６１Ｃが表示される。
【０３２７】
この状態で、さらにズームインボタン５０１Ｂを押すと、図４１Ｂに示す下位メニュー画面５６２が表示され、ウインドウ５６２上方に受信時間、日付と発信者の名前が表示される。下方のアイコンでこのメールに対する処理「開封済み」５６３Ｂ、「時間軸に移動」５６３Ａを選択する。「時間軸に移動」では、時間になったら知らせるようにすることができる。
【０３２８】
また、これらの各種アイコンは、時間軸上に自由に貼り付けることで、スケジュールの中に経時的に組み込むことができる。例えば図４０Ｃの例では、時間軸の横にもボイスメモアイコン５５０Ｂが置かれている。
【０３２９】
さらに、本例では、ボイスメモアイコン５５０、電子メールアイコン５６０は、入力時間、着信時間というように時間軸上に置かれるが、表示がされている時間よりも過去にあるものは、スケジュール表示領域下方に集められ画面内に表示されるキャッチネットメタファ機能を有する。
【０３３０】
図３８は、電源投入後の初期画面であるスリープモードの状態を示している。このスリープモードになると、操作部による操作入力が一定期間行われない場合に、表示画面を隠蔽するように、下方の現在時刻５１８を表示する領域（第５の背景表示エリア）が拡大し、まぶたのように画面を覆う。この部分には、バッテリーレベルの表示が追加される。尚、この部分を完全に閉じる構成としても、スケジュール表示領域を例えば２時間程度のスケール分だけ表示させるように構成しても良い。後者の場合には、メイン画面にしなくても、スケジュールを確認することができる。このような、スリープモードを形成することにより、画面が暗くなり、スケジュールの内容を容易に他人に覗かれないようにすることができる。スケジュール表示エリアは、セキュリティのため、ダークアウトする。ただし、各種のアイコンは表示させておくことができ、予定の有無をチェックできる。右端のバーグラフは、充電レベルを表す。
【０３３１】
スクリーンセーバーのように、いずれかのスイッチを操作させることにより、図３６Ｂに示すスケジュール表示モードに切換えられる。一定時間操作部への操作がない場合には、再びスリープモードに戻る。
【０３３２】
（スクロール）
図３８に示すように、リューズを回転させて、画面をスクロールさせる。ここで、リューズの回転とスクロールの速さが一致するようにしている。
【０３３３】
ここで、スクロール処理を行なうには、先ず、図４３Ａに示すように、リューズを回転させ（Ｓ１３０）、処理Ａ（Ｓ１３１）によって、回転方向を決定する。
【０３３４】
即ち、Ｓ１３１の処理Ａでは、先ず、回転方向が上回転か下回転かを判断する（Ｓ１４０）。次いで、上方向に回転した場合には、上方向に回転した分の回転量例えば回転角度、回転数等を検出する（Ｓ１４１ａ）。次いで、検出した回転量に対する表示画面上でのスクロール移動量を、予め記憶部等にて用意されている回転量−スクロール移動量変換テーブル等を用いて算出する（Ｓ１４２ａ）。その後、算出されたスクロール移動量の分だけ、表示制御部にて表示画面の移動処理、即ち表示画面の更新処理を行なう（Ｓ１４３ａ）。このようにすることで、表示画面スクロール処理（Ｓ１３２）に到達できる。
【０３３５】
尚、このスクロール処理に係る表示画面の更新処理にあっては、スクロールにより上方向に移動した分Ｙが、表示画面の縦方向のサイズＹ１よりも少ない場合には、更新する必要のない旧データの表示領域Ｙ１−Ｙ分は、一旦状態を保持して表示画像を残しておき、新規に表示される領域Ｙの部分のみを追加するような更新処理を行なうことが好ましい。こうすると、スクロール時の処理速度の向上等を図ることができる。また、Ｓ１４０で、下方向に回転した場合には、Ｓ１４１ｂ〜Ｓ１４３ｂに示すように、Ｓ１４１ａ〜Ｓ１４３ａ同様の処理を行なう。尚、Ｓ１４２ｂでは、回転量−スクロール移動量変換テーブルを下回転用に専用に設けているが、上回転用のものを兼用しても良い。
【０３３６】
そして、スクロール処理に関する表示処理を行う（Ｓ１３２）。その後、リューズ５０１Ａの回転が停止したかを確認し（Ｓ１３３）、Ｂ処理を行なう（Ｓ１３４）。
【０３３７】
本例の操作部のリューズ５０１Ａは、回転操作による表示画面のスクロール処理に加え、押引、又は押出操作によるカーソルの左右方向での移動処理をも行なうことができる。従って、以下のＢ処理をも行なうことができる。
【０３３８】
Ｓ１３４のＢ処理では、図４３Ｃに示すように、リューズ５０１Ａの押引、又は押出操作があるかどうかを判断する（Ｓ１５０）。操作がない場合には、Ｂ処理は終了する。操作があった場合には、リューズ５０１Ａの移動量を検出する（Ｓ１５１）。次に、リューズ５０１Ａの移動量から、対応テーブル等を用いてカーソルの移動量を算出する（Ｓ１５２）。これによって、カーソル移動処理を行なう（Ｓ１５３）。その後、例えばカーソルによりクリックやドラッグ等の種々の表示処理を行い（Ｓ１５４）、カーソルの移動がさらに必要がどうかを判断する（Ｓ１５５）。Ｓ１５５で、移動の必要がある場合には、Ｓ１５０から処理を繰り返し、Ｓ１５５で移動の必要がない場合には、Ｂ処理を終了する。
【０３３９】
ところで、スクロールの際には、図３６Ａ〜３６Ｄに示すように、スケジュールのスケールは、５時間、１２時間、１週間、１ヶ月と切り換えることができる。このため、スケールの大小で日付、時間軸、スケジュール表示の面積のバランス、特に時間軸の幅（時間軸表示エリア５２０の幅）がＧ１→Ｇ２→Ｇ３→Ｇ４と縮小し、予定有無着色表示エリア５２２の幅がＨ１→Ｈ２と縮小し、予定日付表示エリア５１２がＦ１→Ｆ２→Ｆ３→Ｆ４と拡大するので、視覚的に時間の縮尺を容易に把握できる。尚、スケジュールにおける表題も、スケールに応じて表示フォント数、フォントサイズを変えている。
【０３４０】
また、スケジュールの中のアイテムの下位の階層の第１の情報が、携帯機器内に蓄積された例えばアドレス等の関連情報を持つ場合、自動的に認識して第１の情報と関連情報とが関連付けされ、前記スケジュールのアイテムの欄に当該関連情報の表題が表示される。
【０３４１】
（データベース）
ファンクションボタン５０１Ｄを選択すると、データーベースモードに切り替わり、図３７Ａに示すようにデーターべースメニュー画面５７２が表示される。このデータベースメニュー画面５７２には、５つのカテゴリー「PEOPLE」５７２Ａ、「OFFICE」５７２Ｂ、「PROJECT」５７２Ｃ、「SYNCHRONIZE」５７２Ｄ、「PREFERENCE」５７２Ｅが表示され、リューズ５０１Ａを回転させることで所望のカテゴリーを反転表示させ（図３７Ａの例では「OFFICE」５７２Ｂ）、リューズ５０１Ａを引くことで選択し、下位の階層に移動する。すると、図３７Ｂに示すように、画面右側より下位の階層であるアルファベット順の名前のリストを表示したイニシャル選択画面５８４が現れ、上位の階層のカテゴリーを表示したメニュー選択領域５８２が左側に詰められる。
【０３４２】
さらに、イニシャル選択画面５８４において、リューズ５０１Ａを回転させることで所望のイニシャルを反転表示させ（図３７Ｂの例では「Ｇ」）、リューズ５０１Ａを引くことで選択し、下位の階層に移動する。
【０３４３】
ここで、図３７Ｂに示すような表示画面を生成するためには、以下のような手法が好ましい。即ち、一般に、カーソルの動ける領域が意味のある画面で、カーソルが動けない領域は意味のない画面であるので、図３７Ｂにおいて、イニシャル選択領域５８４以外の画面は、背景画面として表示される。イニシャル選択領域５８４は、操作部のスクロールに応じて順次更新処理され、Ａ、Ｂ、Ｃ、Ｄ・・・・とリューズを回転させると、Ｇが出たり、Ｈが出たりする。そして、Ｇの所だけ文字を表示させる。
【０３４４】
そして、例えばＧが選択された後の画面は、全部表示画面が更新されて図３７Ｃのように、選択されて左側へ幅が詰る別の表示画面となる。ここで、メニュー選択領域５８２は書き換えずに、他の領域を書き換える。尚、予め階層構造に従った順番にデータが並んでいる構成とすることにより、ランダムに入っているデータを検索の度にソートし直して抽出するステップを省略でき、制御が簡略化される。従って、データは、アルファベット順に全て並んでいる構造とするのが好ましい。
【０３４５】
図３７Ｃに示す階層では、名前のリストをアルファベット順に表示した名前選択画面５９０が表示される。
この名前選択画面５９０においては、メニュー選択領域５８２及びイニシャル選択領域５８４は、さらに左側に詰められる。この名前選択画面５９０において、リューズ５０１Ａを回転させることで所望の名前を反転表示させ、リューズ５０１Ａを引くことで選択する。すると、図３７Ｄに示すように、最下位の階層の個人データ表示画面６００が表示される。
【０３４６】
この個人データ表示画面６００においては、メニュー選択領域５８２、イニシャル選択領域５８４、及び名前選択領域５９６は、さらに左側に詰められる。この個人データ表示画面６００の個人データ表示領域６０８においては、顔写真６１０、名前６１２Ａ、電話番号６１２Ｂ、住所６１２Ｃが表示されている。
【０３４７】
本例においては、カテゴリー「PEOPLE」５７２Ａは、メニュー画面５７２→イニシャル選択画面５８０→名前選択画面５９０→個人データ表示画面６００という階層を持つ。
【０３４８】
そして、低い階層が画面の右側から順に現れる。即ち、図３７Ｂ〜図３７Ｄに示すように、メニュー選択領域５８２の幅は、Ｌ１→Ｌ２→Ｌ３と下位の階層に移るほど幅が狭まり、イニシャル選択領域５８４の幅もＭ１→Ｍ２→Ｍ３と下位の階層に移るほど幅が狭まるよう構成される。このようにして、データの各階層を横に並べ、その中の項目を縦に配置し、階層間の移動はリューズ５０１Ａの押し、引きで、同一階層の中での選択はリューズ５０１Ａの回転で行うようにする。
【０３４９】
従って、常にどの階層にいても、現在表示されている階層よりも上位の全階層が一画面上に表示されるので、データの階層構造を解りやすくし、他の階層のデータに移動しやすくなる。また、データの階層構造の方向と、階層選択の操作方向とを同一方向とし、選択する操作方向を一義的にすることで、解りやすいインターフェースを実現している。
【０３５０】
尚、上記例では、回転入力部とスクロールとの制御関係を、３回回転すると画面が数センチ分移動するというようなテーブルを用意することで達成したが、回転角検出手段、左右移動量検出手段、回転角速度検出手段等をＣＰＵに接続して、回転角と縦移動量との対応関係を定義した回転角−縦方向移動変換テーブル、リューズの右又は左への移動量とカーソル移動量との対応関係を定義したリューズ左右移動量−カーソル移動量変換テーブル、リューズの回転角速度と拡大縮小度との対応関係を定義した回転角速度−拡大縮小度変換テーブル、を記憶部に記憶させ、ＣＰＵは回転角−縦方向移動量変換制御手段、リューズ移動量−カーソル移動量変換制御手段、回転角速度−拡大縮小変動量変換制御手段として機能するよう構成しても良い。
【０３５１】
例えば重要度、緊急度が大きくなるとアイコンも大きくなる。また、完了しなければならない時間が近づくと大きくなる。さらに、ボイスメモ、録音した時間が長いと大きくなり、ユーザーはアイコンの大きさだけで、内容を思い出すことができる。
【０３５２】
［実施の形態４］
次に、本発明に係る表示装置の実施の形態４について、図４４〜図５１を用いて説明する。尚、上記実施の形態１、２、３と同様の構成については、同一の符号を付し、その詳細な説明は省略する。本例では、表示画面の構成を図４４のように構成している。
【０３５３】
本例の携帯機器７００は、いわゆる手書きによる書き込み入力を可能とするペン入力でカード型の携帯機器で構成される。このため、ハードウエア構成においては、上記実施の形態１〜３とは異なり、図５に示すブロック図の構成に加えて、ペン入力操作部を有し、さらにＣＰＵには、ペン入力の文字、図形等を認識する認識手段を有し、この認識結果に基づいて各種の処理を行う。記憶部は、上述のＲＡＭ、ＲＯＭの他、携帯機器に対して着脱自在の不揮発性メモリーカード、ＰＣＭＣＩＡカード、本携帯装置専用のＩＤカード等が含まれている。尚、操作部によりテキストデータを入力することも可能である。
【０３５４】
表示部は、画像表示機能と静電誘導タブレット機能とを兼ね備えたアクティブマトリックスタイプの液晶表示パネルと、ペン入力操作部からの信号を受けて表示パネル上におけるペン入力操作部の先端座標を検出する座標検出回路と、画像表示動作及び座標検出動作を制御する制御回路と、を有している。
【０３５５】
ペン入力操作部は、表示パネル上の行電極及び列電極と浮遊容量で結合されて入力インピーダンスの高い領域検出電極を先端に有しており、行電極に印加された走査パルス或いは列電極に印加された走査パルスに起因して上記検出電極に誘導電圧が誘起される。座標検出回路は、制御回路からの座標検出用タイミング信号に基づいてペン入力操作部の検出電極に発生する誘導電圧の発生タイミングを検出して、先端座標を検出する。
【０３５６】
そして、表示部に表示されるメニューのうちペン入力操作部によって指示された処理メニューの内容を判断する指示判断手段を有し、判断結果に応じた処理を実施する機能と、ペン入力の文字、図形等を認識する認識手段を有し、この認識結果に基づいて各種の処理を行う機能と、の切り換えを可能としている。
【０３５７】
尚、ペン入力操作部と携帯機器とがケーブル接続されていない場合には、ペン入力操作部の中には、情報収集部、コード情報生成部、一時記憶部、位置検出部、ユーザーの操作指示に基づいて、コード情報と位置指示信号を送出する信号発生コード情報送信部等を形成し、１つのペン形状の座標指示器で、手書き入力と、バーコード入力とを可能とし、表示部の構成として、センスマトリックス部、位置検出部（指示座標センス部）、コード情報抽出部、位置検出処理部、を有する構成とするのが好ましい。
【０３５８】
従って、本例の携帯機器７００は、操作部７０２としてペン入力操作部７０３、操作ボタン０〜９を有している。
【０３５９】
図４４は、メイン画面の画面構成のレイアウトを示している。同図に示すように、表示部７０６には、表示部７０６上部に現在時刻、日付を表示する日付表示エリア７１０と、電子メール表示エリア７２０と、スケジュール表示エリア７３０と、データベース表示エリア７４０と、を有する。
【０３６０】
日付表示エリア７１０には、日付が「ＡＭ１０：０５ ５９ Thursday Oct．１２」７０１のように表示される。電子メール表示エリア７２０は、電子メールが遠くから届くイメージから時間軸遠方に位置しており、送信者メールボックスアイコン７２１及びその数と、送信待ちメールボックスアイコン７２２及びその数と、受信メールボックスアイコン７２３及びその数と、開封済みメールボックスアイコン７２４及びその数と、が表示される。
【０３６１】
スケジュール表示エリア７３０は、ランドスケープメタファに則ったパースフェクティブのついた時間軸表示エリア７３３をベースに右エリアに予定が建物アイコン７３６・７３７の形で、左エリアには、ＴＯＤＯリストがビルボード７３８の形で表示される。
【０３６２】
時間軸表示エリア７３３の時間軸は、手前が現在に近く、遠方に行くに従い未来を表す。このようにして、時間軸を上方向から見た道路状に配置し、その道路の周囲に置かれるオブジェクトのイメージでＧＵＩを設定する。本例では、例えば道路を時間軸とし、建物をスケジュールとし、看板をＴＯＤＯとし、マンホールをメモとしている。また、時間軸表示エリア７３３に沿って、予定の入っている領域を着色表示する予定有無背景表示エリア７３４を形成し、現在時刻を中心に過去の領域を着色表示する背景画面着色表示エリア７３２を形成している。
【０３６３】
道路での時間軸には遠近感があり、遠く（未来）にあるものは小さく、次第に現在がその時間に近づくと、オブジェクトははっきりと見えてきて、大まかな内容が識別できる。
【０３６４】
道路の右側に予定が建物の形で、左エリアにはＴＯＤＯリストがビルボードの形で表示され、視野変換ボタンとして方向転換アイコン７４４・７４５により、ユーザーがどちからを向いた状態を示す各ファンクションモードに移る。
【０３６５】
建物アイコン７３６・７３７は、その形状や属性の異なる複数種類の３次元立体アニメート状のアイコンよりなる。これらの建物の種類は予定の種類を表し、持っているスケジュールの意味が異なる。本例では、ビル７３６はオフィシャルな予定、一般家屋７３７はプライベート予定を意味している。
【０３６６】
看板アイコン（ビルボード）７３８は、道路のある地点（時間）に固定され、時間に関連のあるデータを示す足の生えた看板アイコン７３８Ａと、空間に浮遊して表示され、時間に関わらないデータを示す足の無い看板アイコン７３８Ｂと、を有する。また、時間軸表示エリア７３３上の過去の領域には、メモを書込むためのマンホールアイコン７３９を有している。また、時間軸の過去を表す部分は、ダークアウトし現在点を認識しやすくなっている。
【０３６７】
さらに、スクロールにより、スケジュールを見るスケールの大小（１日／１週間）を、道路にパースペクティブをつけて、遠くのものは圧縮され、鳥瞰図のように表示される。即ち、スクロール操作により、時間軸のスケールを大きくとり、画面を縮小表示させるに従い、３次元表示の視点位置を徐々に高めることで、縮小時には、図４６Ａに示すように鳥瞰図のように上から眺めるイメージの表示画面、鳥瞰図表示モード８５０が生成される。この場合時間軸表示エリア８５２は、日単位の時間軸となっており、スケジュール表示エリア８５４の各種のアイコンは小さく形成されている。なお、この小さく形成された各種のアイコンの時間軸と直交する方向の長さはその日の予定の詰まり具合を表示している。
【０３６８】
ここで、このような表示画面を生成するためには、キャラクタを各々持ち、時間との対応によりビットマップを変えることで、建物の種類を情報によって変える。尚、細かく制御しない場合は、道路の部分は、数字で書き換える。
【０３６９】
また、鳥瞰図の表示は、スケジュールの頭の開始時間情報と、長さに関する情報によって、各アイコンの位置を決めて、長さによって、何種類かのうちのキャラクタを選択し、時間軸上に貼り付けることが好ましい。
【０３７０】
この場合、例えば十分単位でキャラクタが数多くあると処理が大変なので、種類は限定することが好ましい。例えば、建物アイコンの立方体状のキャラクタの場合には、立方体の右端の側面と左端の側面だけ絵としてもっていて、開始時間と終了時間に基づいて、右端と左端との間を線で結び、ドットデータの影だけ形成するような形成手法を採ることが好ましい。
【０３７１】
表示部７０６下部のデータベース表示エリア７４０は、自分の持つデータベースとなり、電話帳アイコン７４１と、時間軸上の未来の方向へスクロールするためのアイコン７４３と、過去の方向へスクロールするためのアイコン７４２と、建物アイコン７３６が正面となるような２次元表示に方向転換するための方向転換アイコン７４４と、ビルボードアイコン７３８が正面となるような２次元表示に方向転換するための方向転換アイコン７４５と、を有する。
【０３７２】
カード側面のスケール切り換えボタン７０４Ａ・７０４Ｂ・７０４Ｃにより、上から月単位、週単位、日単位への切り換えを可能としている。日単位は、地上に近い位置、週単位は鳥の目の高さ、月単位は人工衛星から見た位置に相当し、街をズームアップするイメージとしている。
【０３７３】
図５１Ｄは、月単位の表示を示している。この月単位の表示では、日単位、週単位の表示と異なり、表示部上部は、現在近く、表示部下部は未来を示すようになっている。この棒グラフは、その日の予定の総量を表す。
【０３７４】
そして、図５１Ｅに示すように、スクロールアイコンをタッチし続けることで時間軸がスクロールし、ペンを離すとスクロールが止まる。
【０３７５】
図５１Ｆにおいて、例えば１１月１４日のエリア（８４４）をダブルタッチする。すると、その日の日単位での時間軸へ切り換わる。図５０Ａに示すように、さらに建物７３６をダブルタッチすると、図５０Ｂに示すようにスケジュールの内容が表示される。ここで、予定を１１月１４日から変更するためには、図５０Ｃに示すように、時間軸上の建物をペンで所望の時刻位置までドラッグする。
【０３７６】
図５１Ａに示すように、リスト表示された着信メールをダブルタッチすることで着信メールの中からメールを開く。このウインドウでは、発信者名、表題の一覧表示がなされる。所望のメールをダブルタッチすると、図５１Ｂに示すような下位メニューのウインドウが表示される。
【０３７７】
ここで、図５１Ｃに示すように、表示部の最上部の時刻表示エリアをタッチすると、現在時間の時間軸表示モードに戻る。
【０３７８】
また、単に閉じる場合には、左上のクローズボックスをダブルタッチすることで閉じる。
【０３７９】
図５０Ｄに示すように、キーボードの任意のキーに、ペン入力操作部７０３をタッチすることで、図５０Ｅに示すようなメモモードにおけるメモ入力用画面が開く。図５０Ｅのメモ入力画面のウインドウの最上部に位置する（メモ画面のタイトルバーにある）各種アイコンのうち、スケジュール用の入力フォーマット選択アイコン７８６を、ペン入力操作部７０３により選択し、ダブルタッチする。
【０３８０】
すると、図５０Ｆに示すようなスケジュール表示画面７９０が表示される。このスケジュール表示画面７９０においては、時間は画面内のスケールをペン入力操作部７０３によりなぞって設定する。名前を入力すると、データベースに関連データがある場合に、当該データを示すアイコンが名前の後に表示される。
【０３８１】
また、アラーム有無アイコン７９６により、アラームの有無を設定する。さらに、建物のタイプをタッチにより建物アイコン７９４Ａ〜７９４Ｄのいずれかから選択する。
【０３８２】
上記スケジュールを入力するための入力画面を閉じると、図４９Ａに示すように、時間軸上にスケジュールを示す建物アイコン７３６が自動的に貼付けられる。
【０３８３】
次に、電子メールを作成する場合には、図４９Ｂに示すように、メモモードにおけるメモ入力用画面７８０を開く。図４９Ｂのメモ入力画面７８０のウインドウの最上部に位置する（メモ画面のタイトルバーにある）各種アイコンのうち、メール用の入力フォーマット選択アイコン７８２を、ペン入力操作部７０３により選択し、ダブルタッチする。
【０３８４】
すると、図４９Ｃに示すような、電子メール表示画面８００が表示される。この電子メール表示画面８００においては、キーボードにより入力を行なう。名前を入力すると、電子メールのアドレスがデータベースから自動的に引出され、電子メール表示画面８００内に表示される。キーボードを用いて電子メールを作成すると、電子メール表示画面８００のウインドウの最上部にあるタイトルバーの左端に位置するクローズボックスアイコン８０２をペン入力操作部７０３によりタッチすることで、電子メール表示画面８００を閉じることができる。
【０３８５】
そして、電子メールを作成して閉じると、その電子メールは、送信待ちメールボックスアイコン７２２に蓄えられ、本携帯機器に含まれるカードが電話回線に接続されると、自動的に送信される。
【０３８６】
次に、未来においてしなければならない事項（Ｔｏｄｏリスト）を作成する場合には、図４９Ｄに示すように、ペン入力操作部７０３をキーボードにタッチする。すると、図４９Ｅに示すように、メモモードにおけるメモ入力用画面７８０を開く。図４９Ｄのメモ入力画面７８０のウインドウの最上部に位置する（メモ画面のタイトルバーにある）各種アイコンのうち、ＴＯＤＯリスト用の入力フォーマット選択アイコン７８４を、ペン入力操作部７０３により選択し、ダブルタッチする。尚、返信ボタンをタッチすると、返信メール作成画面に切り換わる。
【０３８７】
すると、図４９Ｆに示すような、Ｔｏｄｏリスト表示画面８１０が表示される。このＴｏｄｏリスト表示画面８１０内のハンドライトエリア８１２内に、ペン入力操作部７０３を用いて、手書きでインクデータとして文字入力を行なう。
【０３８８】
図４９Ｆにおいては、「ＢＵＹ ＷＩＮＥ」と手書き入力されている。この場合には、表示文字は、明朝体、ゴシック体等でななく、手書用のフォントデータを用いて手書き文字が表示されることとなる。尚、図示しないが、キーボードを用いてテキストデータとして入力した場合には、ハンドライトエリア８１２内には、明朝体、ゴシック体等のフォントデータが表示されることとなる。
【０３８９】
このハンドライトエリア８１２に文字が入力されると、このエリアがそのままの形で時間軸上に貼付け表示される。
【０３９０】
また、このＴＯＤＯリストには、時間軸上に乗るＴｏｄｏリストと、時間軸上に乗らないＴｏｄｏリストとがある。そして、時間を指定した場合には、時間軸に乗るＴｏｄｏリストとして足のあるビルボードアイコンが時間軸上に貼付くこととなる。また、時間軸に乗らないものは、足のないビルボードの形で時間軸上の任意の場所にフローティングして留まる。
【０３９１】
通常は、時間の経過と共にビルボードアイコンは画面から消える。しかし、時間軸に乗ったＴｏｄｏリストを消去操作していない場合は、ビルボードアイコンは、時間の経過に拘らず、消去操作が行われるまで下辺に留まる。ここで、いくつかのビルボードアイコンが下辺に溜まった場合には、アイコンが交互に積層表示される。
【０３９２】
そして、ビルボードアイコン７３８Ｂを消去する場合には、図４８Ａに示すように、ペン入力操作部７０３によりチェックを行なうと、自動的にＴｏｄｏリストを表すビルボードアイコン７３８Ｂは消去されることとなる。
【０３９３】
次にデータベースを検索する場合には、図４８Ｂに示すように、ペン入力操作部７０３により、データベースボックスアイコン７４１にダブルタッチすると、検索用のデータベース表示モードに移る。
【０３９４】
図４８Ｃに示すように、検索モード画面７５０においては、検索ワード入力タブ７５２内に、キーボードを用いて検索語例えば名前の頭文字例えばｙａを入力すると共に、双眼鏡アイコン７５４をペン入力操作部７０３にてタッチすることで、検索を開始し、検索終了後、該当するデータを表示することができる。
【０３９５】
すると、図４８Ｄに示すような、該当データリスト表示画面７６０に、該当データがリスト表示される。当該該当データの中から、所望のデータの選択タブ７６２をペン入力操作部７０３によりダブルタッチすると、図４８Ｅに示すようなデータ表示画面７７０内に詳細なデータを表示させることができる。
【０３９６】
次に、メモを作成する場合には、図４８Ｆに示すように、ペン入力操作部７０３をキーボードにタッチする。すると、図４７Ａに示すように、メモモードにおけるメモ入力用画面７８０を開く。図４７Ａのメモ入力画面７８０内に、ペン入力操作部７０３を用いて、手書きでインクデータとして文字入力を行なう。
【０３９７】
図４７Ａにおいては、「ＴＡＸＩ ￥１２０」と手書き入力されている。この場合には、表示文字は、明朝体、ゴシック体等でななく、手書用のフォントデータを用いて手書き文字が表示されることとなる。尚、図示しないが、キーボードを用いてテキストデータとして入力した場合には、メモ入力画面７８０内には、明朝体、ゴシック体等のフォントデータが表示されることとなる。
【０３９８】
そして、クローズボックスアイコンをペン入力操作部によりタッチすると、メモ入力画面７８０が閉じ、図４７Ｂに示すように、メモを作成した時間軸上にマンホールアイコン７３９の形で貼付け表示される。逆に、マンホールアイコン７３９をダブルタッチすると、メモ内容表示画面が表示される。
【０３９９】
［実施の形態５］
次に、本発明に係る表示装置の実施の形態５について、図５２〜図５５を用いて説明する。尚、上記実施の形態１、２、３と同様の構成については、同一の符号を付し、その詳細な説明は省略する。本例では、表示画面の構成を図５５Ｃのように構成している。
【０４００】
図５２Ａでは、ＰＣ側の表示画面１０００内にウインドウとして本携帯機器に現在表示されている表示画面１００２を表示している。そして、ＰＣ側の表示画面内には、例えばインターネット上の他のサーバにアクセスして文献の表示、写真及び説明文等を表示させ、当該表示画像を本携帯機器の記憶部内に取り込むことができる。この場合には、ＰＣ上の例えば本表示装置に係るソフト（ＰＩＭソフト）等のツールでカメラツールを選択し、対象となる画像の範囲指定を行ない取り込む部分の選択を行なう。その後、本表示装置のメモモードにおけるメモの中に前記画像が取り込まれることとなる。
【０４０１】
さらに、当該画像を図５２Ｂに示すように、ＴｏｄｏリストモードにおけるＴｏｄｏリストの中に取り込むこともできる。
【０４０２】
ＰＣと本携帯機器とは、予め指定した情報のみのデータ同期化を行なうことができるので、ＰＩＭソフト本体、ＰＩＭ上のメモ、ダウンロードした電子メール等と本携帯機器とをシンクロできる。従って、現在ＰＣ上の表示画面に取り込んだ画像は、そのまま同時に本携帯機器にデータ同期化されている。このため、本携帯機器のみをユーザーが持ち歩いていても、ＰＣ同様にＰＩＭソフト本体、ＰＩＭ上のメモ、ダウンロードした電子メール等を扱うことができる。
【０４０３】
図５２Ｃは、携帯機器側の表示画面の詳細を示している。同図では、上記実施の形態４と異なり、日付という時間軸１１１２を道路上の標識のメタファとして表している。また、建物アイコンの高さの高低によって、スケジュールの量の大小を表している点で実施の形態４と異なる。
【０４０４】
図５４Ａには、方向転換後のモードにおいて、上記Ｔｏｄｏリストに取り込んだ画像が看板１１１８として表示されている。このように、取り込んだ画像をＴＯＤＯリスト用のアイコンのキャラクタデータとして使用することもできる。
【０４０５】
図５４Ｃには、予め情報告知を設定していた場合に、所望の時刻になると本携帯機器の音声出力部よりメロディ等の音声情報が出力すると共に、同図のようなスケジュールの概要を示すポップアップメニュー１１４２が予定が入力された建物アイコン１１４０に隣接して表示している例を示したものである。このように、情報告知の際には、音声情報と表示情報との双方を用いてユーザーに知らせることができる。
【０４０６】
図５４Ｂには、ＴＯＤＯリストに予定を書き込む場合の表示画面を示している。同図において、ＴＯＤＯリスト１１１０のモードを開くと共に、キーボードの表示画像で表された文字入力インターフェース１１３０のウインドウを開き、当該文字入力インターフェース１１３０上の各種キーボードタブを上記ペン入力操作部又は指等にて選択することで、ＴＯＤＯリスト１１１０への文字等の書き込みを行なう。
【０４０７】
図５５Ａには、ノート表示モード１１５０が示されている。このノード表示モードにおいても、各種項目の順番を入れ換えたり、項目を新たに付け加えたりすることもできる。項目の順番の入れ換えは、例えば指によるタッチやペン入力操作部のタッチにより行なうことができる。新規項目の追加でも、画面上のキーボード表示された上記文字入力インターフェース１１３０を用いることで指又はペン入力操作部を用いてペン入力を行なうことができる。
【０４０８】
図５５Ｂには、バルーンアイコン１１１６が表示されている。このバルーンアイコン１１１６をタッチすると、電子メールを開いて、その具体的内容が表示された下位の表示画面モードを表示することができる。これを示したのが図５５Ｃである。図５５Ｃの電子メール表示画面１１２０においても、文字入力インターフェース１１３０を用いることで、返信のためのメールを作成、編集を行うことができる。
【０４０９】
さらに、これらの作成したメールを、所望の送信先に送信することもできる。この送信を行なう場合には、先ず、本携帯機器に係るカードを、モデムや拡張用のバッテリ等が内臓されたドッキングステーションに取り付け、電話に接続する。そして、図５３Ａに示すように、画面上の電子メールを表すバルーンアイコン１１１６を、ポストアイコン１１１４上に移動させることによって、送信が可能となる。その後、自動的に電話回線に接続され、メールを送信し終えると、自動的に回線は切断される。
【０４１０】
図５３Ｂには、受信したメールがバルーンアイコン１１１６として道路上に浮遊するように複数表示されている画面を表している。
【０４１１】
図５３Ｃには、いずれかのバルーンアイコン１１１６をクリックした後に電子メールの具体的内容を示す電子メール表示画面１１２０が表示されている例を示している。同図では、スケジュールが添付された電子メールの場合には、電子メール表示画面１１２０上にスケジュール確認用のアイコン１１２２が表示されることとなる。このアイコン１１２２を選択すると、さらに下位メニュー画面として対象となる日時のスケジュール表示モードが表示される。
【０４１２】
図５３Ｄには、逆に電子メールにスケジュールを添付して送信する場合を示している。スケジュールＯＫボタンをクリックすると、自動的にスケジュールの項目が登録され、同時に返信用の電子メールの画面が開く。そして、ポストアイコン１１１４をクリックすることで送信を行なうことができる。
【０４１３】
尚、本発明に係る装置と方法は、そのいくつかの特定の実施の形態に従って説明してきたが、当業者は本発明の主旨及び範囲から逸脱することなく本発明の本文に記述した実施の形態に対して種々の変形が可能である。例えば図５６Ａ〜５６Ｃの概念図に示されているように、本例の表示装置を含む携帯機器を図５６Ａ〜５６Ｃの各図に示すようなネットワーク内に用いても良い。即ち、ＰＣ１と携帯機器２−１、２−２・・・とで通信を行なうことができるようネットワークを構成しても良い。
【０４１４】
本例では、本発明を腕に装着する場合を例にとり説明したが、本発明はこれに限らず、必要に応じて各種用途に用いることができる。また、上記実施の形態の携帯機器のキーを配置に限らず、必要に応じ、これ以外の個数でもよい。
【０４１５】
また、表示部としてＬＣＤディスプレイを使用した場合について説明したが、本発明ではこれに限定されず、例えば薄型のブラウン管、あるいは液晶シャッター等を用いた小型テレビ、プラズマディスプレイ等の種々の表示装置を使用することができる。また、本発明において表示部に映し出される映像は、必ずしも３次元映像である必要はない。
【０４１６】
さらに、ＰＣの表示部においてアイコン用キャラクタデータを例えば鳩から動物へ変更可能に形成されている場合に、携帯機器の表示部においてアイコン用キャラクタデータを動物で表示させ、携帯機器とＰＣとを同期化させるような構成であっても良い。この場合には、ＰＣは、携帯機器に対して通常の情報と共に動物に対応するビューのアイコン情報をもダウンロードするよう構成すれば良い。
【０４１７】
尚、ＰＣ１は、更にインターネット回線、ＬＡＮ、ＷＡＮ、イントラネット回線等を介して、インターネット上の他のサーバーと接続して、携帯機器２は、ＰＣ１を介しインターネット回線の他のサーバ等へもアクセスできるよう構成しても好いし、ＰＣ１を介して、携帯機器２と、他の携帯機器との間でも情報の享受をできるよう構成しても良い。
【０４１８】
また、第２の情報処理装置としてＰＣ、第１の情報処理装置として本発明の表示装置を適用した例を説明したが、第１の情報処理装置としてＰＤＡ、ＭＣＣ、サーバー等を用いても良い。また、第２の情報処理装置としてＰＣを用いているが、ワークステーション、メインフレーム、ワードプロセッサ装置等であっても良い。
【０４１９】
さらに、上記実施の形態４、５に示した表示画面を構成する機器に、腕装着部を形成した構成であっても良い。
【図面の簡単な説明】
【図１】本発明に係る表示装置の実施の形態の一例を示す表示画面の概略図である。
【図２】図１の表示画面のアイコンをクリックした場合に表示される下層メニュー画面（ウインドウ）の一例を示す概略図である。
【図３】図１の表示画面のアイコンをクリックした場合に表示される下層メニュー画面（ウインドウ）の一例を示す概略図である。
【図４】本発明に係る携帯型情報処理装置とパーソナルコンピュータとでネットワークを構成し、データ同期化を行なう場合において、当該携帯型情報処理装置とパーソナルコンピュータの一例を示す斜視図である。
【図５】図４の携帯型情報処理装置、パーソナルコンピュータの各々のハードウエア構成を示すブロック図である。
【図６】本発明に係る携帯型情報処理装置を示す正面図である。
【図７】図６の携帯型情報処理装置の表示部に表示されるメイン画面を示す概略図である。
【図８】同図（Ａ）〜（Ｆ）は、図７のメイン画面の下層メニューに示される下層メニュー画面の一例をそれぞれ示す概略図である。
【図９】同図（Ａ）〜（Ｅ）は、図６の携帯型情報処理装置の表示部に表示される画面の一例を示す概略図である。
【図１０】本例の表示装置の制御系に従って表示部に段階的に表示される、上位メニュー群、下位メニュー群及び設定表示画面を示す概略説明図である。
【図１１】本発明に係る携帯型情報処理装置のソフトウエア構成を示す機能ブロック図である。
【図１２】本発明に係る携帯型情報処理装置のソフトウエア構成を示す機能ブロック図である。
【図１３】図１２の機能ブロック図の詳細を示す機能ブロック図である。
【図１４】本発明に係る携帯型情報処理装置の記憶部に格納される情報の階層を表すメモリマップを示す概略図である。
【図１５】通信部やその他の内部装置間で送受信されるデータの電磁信号を示す概念図である。
【図１６】同図（Ａ）は、携帯型情報処理装置の記憶部に格納されるキャラクタデータと、当該キャラクタに関連する機能プログラムとの関連性を定義したテーブルの一例を示す説明図である。同図（Ｂ）は、携帯型情報処理装置の記憶部に格納されるキャラクタデータと、画面上の配置位置及びメニュー形式を、各モードに応じて示したテーブルの一例を示す説明図である。
【図１７】同図（Ａ）は、携帯型情報処理装置の記憶部に格納される背景画面用キャラクタデータの一例を示す説明図である。同図（Ｂ）は、携帯型情報処理装置の記憶部に格納されるアイコン用キャラクタデータの一例を示す説明図である。
【図１８】制御系によって実施される制御手順を示すフローチャートである。
【図１９】図１８のフローチャートのＡ処理をさらに詳細に説明したフローチャートである。
【図２０】同図（Ａ）は、図１８のフローチャートのステップ３をさらに詳細に説明したフローチャートである。同図（Ｂ）は、図１８のフローチャートのステップ３をさらに詳細に説明したフローチャートである。
【図２１】同図（Ａ）は、図２０（Ａ）、（Ｂ）のフローチャートのステップ３２、４２をさらに詳細に説明したフローチャートである。同図（Ｂ）は、図２０（Ａ）、（Ｂ）のフローチャートのステップ３２、４２を行なう場合の一例を詳細に説明したフローチャートである。同図（Ｃ）は、図２０（Ａ）、（Ｂ）のフローチャートのステップ３２、４２を行なう場合の一例を詳細に説明したフローチャートである。
【図２２】操作系によって実施される操作手順を示すフローチャートである。
【図２３】同図（Ａ）は、本発明に係る表示装置の他の実施の形態の一例を示す表示画面の概略図である。同図（Ｂ）は、図２３（Ａ）の表示装置のメイン画面を示す表示画面の概略図である。
【図２４】図２３（Ａ）、（Ｂ）の表示装置の制御系に従って表示部に段階的に表示される、上位メニュー群、下位メニュー群及び設定表示画面を示す概略説明図である。
【図２５】同図（Ａ）〜（Ｃ）は、図２３（Ａ）、（Ｂ）の表示装置の表示部に表示される画面の一例を示す概略図である。
【図２６】同図（Ａ）、（Ｂ）は、図２３（Ａ）、（Ｂ）の表示装置の表示部に表示される画面の一例を示す概略図である。
【図２７】同図（Ａ）〜（Ｃ）は、図２３（Ａ）、（Ｂ）の表示装置の表示部に表示される画面の一例を示す概略図である。
【図２８】同図（Ａ）〜（Ｃ）は、図２３（Ａ）、（Ｂ）の表示装置の表示部に表示される画面の一例を示す概略図である。
【図２９】同図（Ａ）〜（Ｃ）は、図２３（Ａ）、（Ｂ）の表示装置の表示部に表示される画面の一例を示す概略図である。
【図３０】同図（Ａ）〜（Ｃ）は、図２３（Ａ）、（Ｂ）の表示装置の表示部に表示される画面の一例を示す概略図である。
【図３１】図２３（Ａ）、（Ｂ）の表示装置の表示部に表示される画面の一例を示す概略図である。
【図３２】同図（Ａ）は、図２３（Ａ）、（Ｂ）の表示装置の操作系によって実施される操作手順を示すフローチャートである。同図（Ｂ）は、図３２（Ａ）のフロチャートのステップ１０１をさらに詳細に説明したフローチャートである。同図（Ｃ）は、図３２（Ａ）のフロチャートのステップ１０４をさらに詳細に説明したフローチャートである。
【図３３】同図（Ａ）は、本発明に係る表示装置の他の実施の形態の一例を示す表示画面の概略図である。同図（Ｂ）は、図３３（Ａ）の表示装置のメイン画面を示す表示画面の概略図である。
【図３４】図３３（Ａ）、（Ｂ）の表示装置の制御系に従って表示部に段階的に表示される、上位メニュー群、下位メニュー群及び設定表示画面を示す概略説明図である。
【図３５】図３３（Ａ）、（Ｂ）の表示装置の表示部に表示される画面の一例を示す概略図である。
【図３６】同図（Ａ）〜（Ｄ）は、図３３（Ａ）、（Ｂ）の表示装置の表示部に表示される画面の一例を示す概略図である。
【図３７】同図（Ａ）〜（Ｄ）は、図３３（Ａ）、（Ｂ）の表示装置の表示部に表示される画面の一例を示す概略図である。
【図３８】図３３（Ａ）、（Ｂ）の表示装置の表示部に表示される画面の一例を示す概略図である。
【図３９】同図（Ａ）〜（Ｄ）は、図３３（Ａ）、（Ｂ）の表示装置の表示部に表示される画面の一例を示す概略図である。
【図４０】同図（Ａ）〜（Ｃ）は、図３３（Ａ）、（Ｂ）の表示装置の表示部に表示される画面の一例を示す概略図である。
【図４１】同図（Ａ）、同図（Ｂ）は、図３３（Ａ）、（Ｂ）の表示装置の表示部に表示される画面の一例を示す概略図である。
【図４２】同図（Ａ）〜（Ｃ）は、図３３（Ａ）、（Ｂ）の表示装置の表示部に表示される画面の一例を示す概略図である。
【図４３】同図（Ａ）は、図３３（Ａ）、（Ｂ）の表示装置の操作系によって実施される操作手順を示すフローチャートである。同図（Ｂ）は、図４３（Ａ）のフロチャートのステップ１３１をさらに詳細に説明したフローチャートである。同図（Ｃ）は、図４３（Ａ）のフロチャートのステップ１３４をさらに詳細に説明したフローチャートである。
【図４４】本発明に係る表示装置の他の実施の形態の一例を示す表示画面の概略図である。
【図４５】図４４の表示装置の制御系に従って表示部に段階的に表示される、上位メニュー群、下位メニュー群及び設定表示画面を示す概略説明図である。
【図４６】同図（Ａ）、同図（Ｂ）は、図４４の表示装置の表示部に表示される画面の一例を示す概略図である。
【図４７】同図（Ａ）〜（Ｂ）は、図４４の表示装置の表示部に表示される画面の一例を示す概略図である。
【図４８】同図（Ａ）〜（Ｆ）は、図４４の表示装置の表示部に表示される画面の一例を示す概略図である。
【図４９】同図（Ａ）〜（Ｆ）は、図４４の表示装置の表示部に表示される画面の一例を示す概略図である。
【図５０】同図（Ａ）〜（Ｆ）は、図４４の表示装置の表示部に表示される画面の一例を示す概略図である。
【図５１】同図（Ａ）〜（Ｆ）は、図４４の表示装置の表示部に表示される画面の一例を示す概略図である。
【図５２】同図（Ａ）は、本発明に係る表示装置の他の実施の形態の一例を示す表示画面の概略図である。同図（Ｂ）、（Ｃ）は、図５２（Ａ）の表示装置の表示部に表示される画面の一例を示す概略図である。
【図５３】同図（Ａ）〜（Ｄ）は、図５２（Ａ）の表示装置の表示部に表示される画面の一例を示す概略図である。
【図５４】同図（Ａ）〜（Ｄ）は、図５２（Ａ）の表示装置の表示部に表示される画面の一例を示す概略図である。
【図５５】同図（Ａ）〜（Ｃ）は、図５２（Ａ）の表示装置の表示部に表示される画面の一例を示す概略図である。
【図５６】同図（Ａ）〜（Ｃ）は、本発明に係る携帯型情報処理装置とパーソナルコンピュータとでネットワークを構成し、データ同期化を行なう場合の例を示す概略図である。
【図５７】同図（Ａ）は、従来の表示装置におけるメニュー画面の構成の一例を示す概略図である。図５７（Ｂ）は、従来の表示装置におけるメニュー画面の構成の一例を示す概略図である。
【符号の説明】
２ 携帯機器
２１  記憶部
２２  計時部
２３  表示部
２４  操作部
２５  通信手段
２６  音声出力部
２７  音声入力部
【図１】
0004151199.tif 000002
【図２】
0004151199.tif 000003
【図３】
0004151199.tif 000004
【図４】
0004151199.tif 000005
【図５】
0004151199.tif 000006
【図６】
0004151199.tif 000007
【図７】
0004151199.tif 000008
【図８】
0004151199.tif 000009
【図９】
0004151199.tif 000010
【図１０】
0004151199.tif 000011
【図１１】
0004151199.tif 000012
【図１２】
0004151199.tif 000013
【図１３】
0004151199.tif 000014
【図１４】
0004151199.tif 000015
【図１５】
0004151199.tif 000016
【図１６】
0004151199.tif 000017
【図１７】
0004151199.tif 000018
【図１８】
0004151199.tif 000019
【図１９】
0004151199.tif 000020
【図２０】
0004151199.tif 000021
【図２１】
0004151199.tif 000022
【図２２】
0004151199.tif 000023
【図２３】
0004151199.tif 000024
【図２４】
0004151199.tif 000025
【図２５】
0004151199.tif 000026
【図２６】
0004151199.tif 000027
【図２７】
0004151199.tif 000028
【図２８】
0004151199.tif 000029
【図２９】
0004151199.tif 000030
【図３０】
0004151199.tif 000031
【図３１】
0004151199.tif 000032
【図３２】
0004151199.tif 000033
【図３３】
0004151199.tif 000034
【図３４】
0004151199.tif 000035
【図３５】
0004151199.tif 000036
【図３６】
0004151199.tif 000037
【図３７】
0004151199.tif 000038
【図３８】
0004151199.tif 000039
【図３９】
0004151199.tif 000040
【図４０】
0004151199.tif 000041
【図４１】
0004151199.tif 000042
【図４２】
0004151199.tif 000043
【図４３】
0004151199.tif 000044
【図４４】
0004151199.tif 000045
【図４５】
0004151199.tif 000046
【図４６】
0004151199.tif 000047
【図４７】
0004151199.tif 000048
【図４８】
0004151199.tif 000049
【図４９】
0004151199.tif 000050
【図５０】
0004151199.tif 000051
【図５１】
0004151199.tif 000052
【図５２】
0004151199.tif 000053
【図５３】
0004151199.tif 000054
【図５４】
0004151199.tif 000055
【図５５】
0004151199.tif 000056
【図５６】
0004151199.tif 000057
【図５７】
0004151199.tif 000058